(57)【要約】【課題】アップリンク制御シグナルをＤＦＴ−ｓ−ＯＦＤＭ構造によって送信するための装置及び方法を提供すること。【解決手段】本発明に係る方法では、アップリンク制御シグナルに対して、チャネルコーディング、スクランブリング、変調、時間領域拡散及びプリコーディング変換をそれぞれ行い、又はチャネルコーディング、スクランブリング、変調、プリコーディング変換及び時間領域拡散をそれぞれ行い、前記アップリンク制御シグナルを、その搬送に利用される搬送する直交波周波数分割多重（ＯＦＤＭ）シンボルへマッピングし、前記ＯＦＤＭシンボルに保持された前記アップリング制御シグナルを送信する。【選択図】図３
2013539269.tif 000002
【特許請求の範囲】
【請求項１】
アップリンク制御シグナル送信方法であって、
アップリンク制御シグナルに対して、チャネルコーディング、スクランブリング、変調、時間領域拡散及びプリコーディング変換をそれぞれ行い、又はチャネルコーディング、スクランブリング、変調、プリコーディング変換及び時間領域拡散をそれぞれ行い、
前記アップリンク制御シグナルを、前記アップリング制御シグナルの搬送に利用される直交波周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルへマッピングし、
前記ＯＦＤＭシンボルに保持された前記アップリング制御シグナルを送信する
ことを特徴とする方法。
【請求項２】
前記アップリンク制御シグナルに対してチャネルコーディングを行う際に、
前記アップリンク制御シグナルのビット数が１１ビットより大きい場合に、拘束長が７、コードレートが１／３のテイルバイティング畳み込み符号方式を用いて、コーディングを行い、１１ビット以下の場合に、線形ブロック符号方式を用いて、コーディングを行う
ことを特徴とする請求項１に記載の方法。
【請求項３】
１つのサブフレームにおける２つのタイムスロットにおいて同じ情報が搬送される場合に、前記アップリンク制御シグナルのコーディング後の長さを１２×Ｑｍとし、
１つのサブフレームにおける２つのタイムスロットにおいて異なる情報が搬送される場合に、前記アップリンク制御シグナルのコーディング後の長さを２４×Ｑｍとし、
ここで、Ｑｍは、対応する変調次数である
ことを特徴とする請求項２に記載の方法。
【請求項４】
前記アップリンク制御シグナルに対してスクランブリングを行う際、
スクランブリングコードシーケンスをコーディング後の前記アップリンク制御シグナルシーケンスに加え、モジュロ２演算を行ってスクランブルされたシーケンスを取得し、ここで、前記スクランブリングコードシーケンスは、擬似ランダムシーケンスである
ことを特徴とする請求項１に記載の方法。
【請求項５】
前記アップリンク制御シグナルに対して変調を行う際、
四位相偏移変調（ＱＰＳＫ：Ｑｕａｄｒａｔｕｒｅ  Ｐｈａｓｅ  Ｓｈｉｆｔ Ｋｅｙｉｎｇ）方式を利用して、スクランブルされた前記アップリンク制御シグナルに対して変調を行う
ことを特徴とする請求項１に記載の方法。
【請求項６】
前記アップリンク制御シグナルに対して時間領域拡張を行う際、
直交シーケンスを利用して、処理された前記アップリンク制御シグナルシーケンスをアップリンク制御シグナルを搬送するＯＦＤＭシンボルに拡張し、
前記直交シーケンスは、離散フーリエ変換（ＤＦＴ：Ｄｉｓｃｒｅｔｅ  Ｆｏｕｒｉｅｒ  Ｔｒａｎｓｆｏｒｍ）シーケンス、Ｗａｌｓｈシーケンス、定振幅ゼロ自己相関（ＣＡＺＡＣ：Ｃｏｎｓｔ  Ａｍｐｌｉｔｕｄｅ  Ｚｅｒｏ  Ａｕｔｏ  Ｃｏｒｒｅｌａｔｉｏｎ）シーケンス及びこれらの拡張シーケンスのいずれかあり、
前記直交シーケンスの長さは、１つのタイムスロットにおいて、アップリンク制御シグナルを搬送するＯＦＤＭシンボルの数である
ことを特徴とする請求項１に記載のアップリンク制御シグナル送信方法。
【請求項７】
前記アップリンク制御シグナルに対してプリコーディング変換を行う際、
アップリンク制御シグナルを搬送するＯＦＤＭシンボルにおけるアップリンク制御シグナルシーケンスにおいて、ＤＦＴ演算を行う
ことを特徴とする請求項１に記載の方法。
【請求項８】
前記アップリンク制御シグナルを搬送するＯＦＤＭシンボルは、１つのサブフレームにおいて、アップリンク基準信号によって占有されるＯＦＤＭシンボルを除くＯＦＤＭシンボルである
ことを特徴とする請求項１に記載の方法。
【請求項９】
前記アップリンク制御シグナル及びサウンディング基準信号（ＳＲＳ：Ｓｏｕｎｄｉｎｇ  Ｒｅｆｅｒｅｎｃｅ  Ｓｉｇｎａｌ）が１つのサブフレームにより搬送される場合に、サブフレームの２番目のタイムスロットの最後のＯＦＤＭシンボルにおいて、アップリンク制御シグナルとアップリンク復調基準信号のいずれも搬送されない
ことを特徴とする請求項８に記載の方法。
【請求項１０】
前記アップリンク制御シグナルは、アップリンクフィードバックされた肯定／否定応答（ＡＣＫ／ＮＡＣＫ）情報又はチャネル状態情報（ＣＳＩ：Ｃｈａｎｎｅｌ  Ｓｔａｔｅ  Ｉｎｆｏｒｍａｔｉｏｎ）である
ことを特徴とする請求項１、８又は９に記載の方法。
【請求項１１】
アップリンク制御シグナルを送信する時の復調基準信号搬送方法であって、
復調基準信号を、各タイムスロットのｋ個のＯＦＤＭシンボルにより搬送する
ことを特徴とする方法。
【請求項１２】
ノーマル巡回プレフィックスのサブフレームにおいて、ｋ＝２又はｋ＝３であり、
拡張巡回プレフィックスのサブフレームにおいて、ｋ＝２又はｋ＝１である
ことを特徴とする請求項１１に記載の方法。
【請求項１３】
復調基準信号を、各タイムスロットのｋ個のＯＦＤＭシンボルにより搬送する際、
ノーマル巡回プレフィックスのサブフレームにおいて、各タイムスロットにおける３つの復調基準信号を、２番目、３番目、６番目のＯＦＤＭシンボルによりそれぞれ搬送し、又は、０番目、３番目、６番目のＯＦＤＭシンボルによりそれぞれ搬送し、又は、１番目、３番目、５番目のＯＦＤＭシンボルにより搬送し、
ノーマル巡回プレフィックスのサブフレームにおいて、各タイムスロットにおける２つの復調基準信号を、０番目、５番目のＯＦＤＭシンボルによりそれぞれ搬送し、又は、０番目、６番目のＯＦＤＭシンボルによりそれぞれ搬送し、又は、１番目、５番目のＯＦＤＭシンボルによりそれぞれ搬送し、又は、２番目、３番目のＯＦＤＭシンボルによりそれぞれ搬送し、又は、２番目、５番目のＯＦＤＭシンボルにより搬送し、  拡張巡回プレフィックスのサブフレームにおいて、各タイムスロットにおける２つの復調基準信号を、０番目、５番目のＯＦＤＭシンボルによりそれぞれ搬送し、又は、０番目、４番目のＯＦＤＭシンボルによりそれぞれ搬送し、又は、２番目、３番目のＯＦＤＭシンボルによりそれぞれ搬送し、又は、１番目、４番目のＯＦＤＭシンボルによりそれぞれ搬送し、又は、２番目、５番目のＯＦＤＭシンボルによりそれぞれ搬送し、
拡張巡回プレフィックスにおいて、各タイムスロットにおける１つの復調基準信号を、２番目のＯＦＤＭシンボルにより搬送し、又は、３番目のＯＦＤＭシンボルに搬送し、
ここで、各タイムスロットにおけるＯＦＤＭシンボルには０から番号が付けられている
ことを特徴とする請求項１１に記載の方法。
【請求項１４】
前記アップリンク復調基準信号によって占有されるＯＦＤＭシンボルの数が２以上である場合に、各ＯＦＤＭシンボルにより搬送される復調基準信号は同じシーケンス、又は時間領域拡張がなされたシーケンスであり、前記シーケンスは、コンピュータ生成定振幅ゼロ自己相関（ＣＧ−ＣＡＺＡＣ：Ｃｏｍｐｕｔｅｒ−ｇｅｎｅｒａｔｅｄ−Ｃｏｎｓｔ  Ａｍｐｌｉｔｕｄｅ  Ｚｅｒｏ  Ａｕｔｏ  Ｃｏｒｒｅｌａｔｉｏｎ）シーケンスである
ことを特徴とする請求項１１に記載の方法。
【請求項１５】
応答メッセージのアップリンク送信装置であって、
アップリンク制御シグナルに対して、前処理を行う前処理ユニットと、
前処理されたアップリンク制御シグナルを、アップリンク制御シグナルを搬送するＯＦＤＭシンボルにマッピングするマッピングユニットと、
前記アップリンク制御シグナルを送信する送信ユニットと
を含むことを特徴とする装置。
【請求項１６】
前記前処理ユニットは、
前記アップリンク制御シグナルに対して、チャネルコーディングを行うチャネルコーディングサブユニットと、
チャネルコーディングされた前記アップリンク制御シグナルに対して、スクランブリングを行うスクランブリングサブユニットと、
スクランブルされた前記アップリンク制御シグナルに対して、変調を行う変調サブユニットと、
変調された前記アップリンク制御シグナルに対して、時間領域拡張を行う時間領域拡散サブユニットと、
時間領域拡張を行った前記アップリンク制御シグナルに対して、プリコーディング変換を行うプリコーディング変換サブユニットと
を含むことを特徴とする請求項１５に記載の装置。
【請求項１７】
前記プリコーディング変換サブユニットは、変調された前記アップリンク制御シグナルに対して、プリコーディング変換を行い、
前記時間領域拡散サブユニットは、プリコーディング変換された前記アップリンク制御シグナルに対して、時間領域拡張を行う
ことを特徴とする請求項１６に記載の装置。
【請求項１８】
前記チャネルコーディングサブユニットは、前記アップリンク制御シグナルのビット数が１１ビットより大きい場合に、拘束長が７、コードレートが１／３のテイルバイティング畳み込み符号方式を用いて、コーディングを行い、１１ビット以下の場合に、線形ブロック符号方式を用いて、コーディングを行い、
１つのサブフレームにおける２つのタイムスロットにおいて同じ情報が搬送される場合に、前記アップリンク制御シグナルのコーディング後の長さを１２×Ｑｍとし、
１つのサブフレームにおける２つのタイムスロットにおいて異なる情報が搬送される場合に、前記アップリンク制御シグナルのコーディング後の長さを２４×Ｑｍとし、
ここで、Ｑｍは対応する変調次数である
ことを特徴とする請求項１６又は１７に記載の装置。
【請求項１９】
前記スクランブリングサブユニットは、スクランブリングコードシーケンスをコーディング後の前記アップリンク制御シグナルシーケンスに加え、モジュロ２演算を行ってスクランブルされたシーケンスを取得し、ここで、前記スクランブリングコードシーケンスは、擬似ランダムシーケンスである
ことを特徴とする請求項１６又は１７に記載の装置。
【請求項２０】
前記変調サブユニットは、ＱＰＳＫ方式を利用して、スクランブルされた前記アップリンク制御シグナルに対して変調を行う
ことを特徴とする請求項１６又は１７に記載の装置。
【請求項２１】
前記時間領域拡散サブユニットは、直交シーケンスを利用して、処理された前記アップリンク制御シグナルシーケンスをアップリンク制御シグナルを搬送するＯＦＤＭシンボルに拡張し、
前記直交シーケンスは、ＤＦＴシーケンス、Ｗａｌｓｈシーケンス、又はＣＡＺＡＣシーケンス及びこれらの拡張シーケンスのいずれかであり、
前記直交シーケンスの長さは、１つのタイムスロットにおいて、アップリンク制御シグナルを搬送するＯＦＤＭシンボルの数である
ことを特徴とする請求項１６又は１７に記載の装置。
【請求項２２】
前記プリコーディング変換サブユニットは、アップリンク制御シグナルを搬送するＯＦＤＭシンボルにおけるアップリンク制御シグナルシーケンスに対して、ＤＦＴ演算を行う
ことを特徴とする請求項１６又は１７に記載の装置。
【請求項２３】
前記アップリンク制御シグナルを搬送するＯＦＤＭシンボルは、１つのサブフレームにおいて、アップリンク基準信号によって占有されるＯＦＤＭシンボルを除くＯＦＤＭシンボルである
ことを特徴とする請求項１５に記載の装置。
【請求項２４】
前記マッピングユニットは、前記アップリンク制御シグナル及びＳＲＳを１つのサブフレームにより搬送する場合に、サブフレームの２番目のタイムスロットの最後のＯＦＤＭシンボルにおいて、アップリンク制御シグナルとアップリンク復調基準信号のいずれも搬送しない
ことを特徴とする請求項２３に記載の装置。
【請求項２５】
前記アップリンク制御シグナルは、アップリンクフィードバックされたＡＣＫ／ＮＡＣＫ応答情報又はＣＳＩ情報である
ことを特徴とする請求項１５、１６、１７、２３又は２４に記載の装置。
【請求項２６】
アップリンク制御シグナル送信時の復調基準信号搬送装置であって、
アップリンク復調基準信号を、各タイムスロットのｋ個のＯＦＤＭシンボルにより搬送する搬送ユニットを含む
ことを特徴とする装置。
【請求項２７】
ノーマル巡回プレフィックスのサブフレームにおいて、ｋ＝２又はｋ＝３であり、
拡張巡回プレフィックスのサブフレームにおいて、ｋ＝２又はｋ＝１であり、
前記搬送ユニットは、
ノーマル巡回プレフィックスのサブフレームにおいて、各タイムスロットにおける３つの復調基準信号を、２番目、３番目、６番目のＯＦＤＭシンボルによりそれぞれ搬送し、又は、０番目、３番目、６番目のＯＦＤＭシンボルによりそれぞれ搬送し、又は、１番目、３番目、５番目のＯＦＤＭシンボルによりそれぞれ搬送し、
ノーマル巡回プレフィックスのサブフレームにおいて、各タイムスロットにおける２つの復調基準信号を、０番目、５番目のＯＦＤＭシンボルによりそれぞれ搬送し、又は、０番目、６番目のＯＦＤＭシンボルによりそれぞれ搬送し、又は、１番目、５番目のＯＦＤＭシンボルによりそれぞれ搬送し、又は、２番目、３番目のＯＦＤＭシンボルによりそれぞれ搬送し、又は、２番目、５番目のＯＦＤＭシンボルによりそれぞれ搬送し、
拡張巡回プレフィックスのサブフレームにおいて、各タイムスロットにおける２つの復調基準信号を、０番目、５番目のＯＦＤＭシンボルによりそれぞれ搬送し、又は、０番目、４番目のＯＦＤＭシンボルによりそれぞれ搬送し、又は、２番目、３番目のＯＦＤＭシンボルによりそれぞれ搬送し、又は、１番目、４番目のＯＦＤＭシンボルによりそれぞれ搬送し、又は、２番目、５番目のＯＦＤＭシンボルによりそれぞれ搬送し、
拡張巡回プレフィックスにおいて、各タイムスロットにおける１つの復調基準信号を、２番目のＯＦＤＭシンボルにより搬送し、又は、３番目のＯＦＤＭシンボルにより搬送し、
ここで、各タイムスロットにおけるＯＦＤＭシンボルには０から番号が付けられている
ことを特徴とする請求項２６に記載の装置。
【請求項２８】
前記アップリンク復調基準信号によって占有されるＯＦＤＭシンボルの数が２以上である場合に、各ＯＦＤＭシンボルにより搬送される復調基準信号は同じシーケンス、又は時間領域拡張がなされた行ったシーケンスであり、前記シーケンスは、ＣＧ−ＣＡＺＡＣシーケンスである
ことを特徴とする請求項２６に記載の装置。
【発明の詳細な説明】
【技術分野】
【０００１】
本発明は、アップリンク制御シグナル送信技術に関し、特に、キャリアアグリゲーションシステムにおけるアップリンク制御シグナル送信方法、アップリンク送信装置及びアップリンク制御シグナル送信時のアップリンク復調基準信号搬送装置に関する。
【背景技術】
【０００２】
ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）方式において、送信側によって送信されたコードワードは、誤り検出をすることができるだけでなく、一定の誤り訂正機能を持つ。
【０００３】
受信側のコードトランスレータは、コードワードを受信した後、まず、誤りの状況を検出し、コードワードの誤り訂正機能に含まれる範囲内にあると、誤り訂正を自動的に行う。誤りが多く、コードワードの誤り訂正機能に含まれる範囲内を超えるが、誤り検出することができる場合、受信側は、フィードバックチャネルを介して送信側へ判定信号を送信し、送信側による情報再送を要求する。
【０００４】
直交波周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムにおいては、肯定／否定応答（ＡＣＫ／ＮＡＣＫ：Ａｃｋｎｏｗｌｅｄｇｅｄ／Ｎｏｎ−ａｃｋｎｏｗｌｅｄｇｅｄ）制御シグナルによって、伝送の肯定／否定が表され、これによって、再送が必要があるかどうかが判定される。
【０００５】
ロング・ターム・エボリューション（ＬＴＥ：Ｌｏｎｇ  Ｔｅｒｍ  Ｅｖｏｌｕｔｉｏｎ）システムは、第３世代パートナーシップ団体の重要なプロジェクトである。図１は関連技術によるＬＴＥシステムにおける基本フレーム構成の構造図である。
【０００６】
フレーム構成は、無線フレーム、ハーフフレーム、サブフレーム、タイムスロット及びシンボルという５つのレベルに分けられる。ここで、１つの無線フレームの長さは１０ｍｓであり、１つの無線フレームは２つのハーフフレームから構成され、各ハーフフレームの長さは５ｍｓである。１つのハーフフレームは５つのサブフレームから構成され、各サブフレームの長さは１ｍｓである。１つのサブフレームは２つのタイムスロットから構成され、各タイムスロットの長さは０．５ｍｓである。
【０００７】
ＬＴＥシステムにおいてノーマル巡回プレフィックスが利用される場合、１つのタイムスロットは、長さが６６．７μｓのアップリンク／ダウンリンクシンボルを７つ含む。ここで、１番目のシンボルの巡回プレフィックス長は５．２１μｓであり、他の６つのシンボルの巡回プレフィックス長は４．６９μｓである。
【０００８】
ＬＴＥシステムにおいて拡張巡回プレフィックスが利用される場合、１つのタイムスロットは、長さが６６．７μｓのアップリンク／ダウンリンクシンボルを６つ含み、ここで、各シンボルの巡回プレフィックス長は何れも１６．６７μｓである。
【０００９】
ＬＴＥのダウンリンクＨＡＲＱにおいては、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）においてＡＣＫ／ＮＡＣＫメッセージが送信される。ユーザ装置（ＵＥ：Ｕｓｅｒ  Ｅｑｕｉｐｍｅｎｔ）が物理アップリンク共有チャネル（ＰＵＳＣＨ：Ｐｈｙｓｉｃａｌ  Ｕｐｌｉｎｋ  Ｓｈａｅｒｄ  Ｃｈａｎｎｅｌ）を有しない場合には、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）においてＡＣＫ／ＮＡＣＫメッセージが送信される。
【００１０】
ＬＴＥシステムにおいては、ＰＵＣＣＨ  ｆｏｒｍａｔ  １／１ａ／１ｂ及びｆｏｒｍａｔ  ２／２ａ／２ｂを含む複数種類のＰＵＣＣＨフォーマットが定義されている。ここで、ｆｏｒｍａｔ  １は、ＵＥのスケジューリング要求（ＳＲ：Ｓｃｈｅｄｕｌｉｎｇ  Ｒｅｑｕｅｓｔ）信号の伝送に用いられ、ｆｏｒｍａｔ  １ａ及び１ｂは、それぞれ、１ビットのＡＣＫ／ＮＡＣＫメッセージ及び２ビットのＡＣＫ／ＮＡＣＫメッセージのフィードバックに用いられている。
【００１１】
ｆｏｒｍａｔ  ２は、チャネル状態情報（ＣＳＩ：Ｃｈａｎｎｅｌ  Ｓｔａｔｅｓ  Ｉｎｆｏｒｍａｔｉｏｎ）の送信に用いられている。ここで、ＣＳＩは、チャネル品質情報（ＣＱＩ：Ｃｈａｎｎｅｌ  Ｑｕａｌｉｔｙ  Ｉｎｆｏｒｍａｔｉｏｎ）、プリコーディングマトリクスインジケータ（ＰＭＩ：Ｐｒｅｃｏｄｉｎｇ  ｍａｔｒｉｘ  ｉｎｄｉｃａｔｏｒ）及びランクインジケータ（ＲＩ：Ｒａｎｋ  Ｉｎｄｉｃａｔｉｏｎ）を含む。
【００１２】
ｆｏｒｍａｔ  ２ａは、ＣＳＩ及び１ビットのＡＣＫ／ＮＡＣＫメッセージの送信に用いられ、ｆｏｒｍａｔ  ２ｂは、ＣＳＩ情報及び２ビットのＡＣＫ／ＮＡＣＫメッセージの送信に用いられる。ｆｏｒｍａｔ  ２ａ／２ｂは、ノーマル巡回プレフィックスである巡回プレフィックスの場面のみに用いられる。
【００１３】
ＬＴＥシステムにおいて、周波数分割多重（ＦＤＤ：Ｆｒｅｑｕｅｎｃｙ  Ｄｉｖｉｓｉｏｎ  Ｄｕｐｌｅｘ）システムでは、アップリンクサブフレームとダウンリンクサブフレームが１対１に対応するため、ＰＤＳＣＨが１つの伝送ブロックのみを含む場合には、ＵＥは、１ビットのＡＣＫ／ＮＡＣＫメッセージをフィードバックする。ＰＤＳＣＨが２つの伝送ブロックを含む場合には、ＵＥは、２ビットのＡＣＫ／ＮＡＣＫメッセージをフィードバックする。
【００１４】
時分割多重（ＴＤＤ：Ｔｉｍｅ  Ｄｉｖｉｓｉｏｎ  Ｄｕｐｌｅｘ）システムでは、アップリンクサブフレームとダウンリンクサブフレームが１対１に対応しないため、複数のダウンリンクサブフレームに対応するＡＣＫ／ＮＡＣＫメッセージを１つのアップリンクサブフレームのＰＵＣＣＨチャネルで送信する必要がある。ここで、アップリンクサブフレームに対応するダウンリンクサブフレームの集合が、バインドウィンドウ（ｂｕｎｄｌｉｎｇ  ｗｉｎｄｏｗ）を構成する。
【００１５】
ＡＣＫ／ＮＡＣＫメッセージ送信方法には、２種類がある。１つは、バインド（ｂｕｎｄｌｉｎｇ）方法であり、当該方法の基本的な着想は、当該アップリンクサブフレームにおけるフィードバックする必要がある各ダウンリンクサブフレームに対応する伝送ブロックのＡＣＫ／ＮＡＣＫメッセージに対して論理演算を行う。１つのダウンリンクサブフレームが２つの伝送ブロックを有する場合、ＵＥが２ビットのＡＣＫ／ＮＡＣＫメッセージをフィードバックし、各サブフレームが１つの伝送ブロックのみを有する場合、ＵＥが１ビットのＡＣＫ／ＮＡＣＫメッセージをフィードバックするというものである。
【００１６】
もう１つは、チャネル選択多重（ｍｕｌｔｉｐｌｅｘｉｎｇ  ｗｉｔｈ  ｃｈａｎｎｅｌ  ｓｅｌｅｃｔｉｏｎ）方法であり、当該方法の基本的な着想は、異なるＰＵＣＣＨチャネル、及び当該チャネルにおける異なる変調シンボルを利用して、当該アップリンクサブフレームにおいてフィードバックする必要があるダウンリンクサブフレームの異なるフィードバック状態を表す。ダウンリンクサブフレームが複数の伝送ブロックを有する場合、ダウンリンクサブフレームの複数の伝送ブロックによってフィードバックされたＡＣＫ／ＮＡＣＫに対して論理演算（ｓｐａｔｉａｌ  ｂｕｎｄｌｉｎｇとも称される）を行った後、チャネル選択を行い、その後に、ＰＵＣＣＨ  ｆｏｒｍａｔ  １ｂを利用して送信を行う。
【００１７】
ＬＴＥシステムにおいて、アップリンク復調基準信号（ＤＭ  ＲＳ：Ｄｅｍｏｄｕｌａｔｉｏｎ  Ｒｅｆｅｒｅｎｃｅ  Ｓｉｇｎａｌ）とアップリンクサウンディング基準信号（ＳＲＳ：Ｓｏｕｎｄｉｎｇ  Ｒｅｆｅｒｅｎｃｅ  ｓｉｇｎａｌ）の２種類のアップリンク基準信号がある。
【００１８】
ＤＭ  ＲＳは、周波数領域における１つのシーケンスから構成されている。当該シーケンスは、基準信号シーケンスの１つの巡回シフト（ＣＳ：Ｃｙｃｌｉｃ  Ｓｈｉｆｔ）であり、異なるＰＵＣＣＨフォーマットに対応するＤＭ  ＲＳ構造が異なる。ＳＲＳは、周期的に送信されるものであり、ＡＣＫ／ＮＡＣＫメッセージ及びＳＲＳを同時に送信すると、ＡＣＫ／ＮＡＣＫメッセージを短縮構造によって送信する。すなわち、各サブフレームの２番目のタイムスロットにおける最後１つのシンボルはＡＣＫ／ＮＡＣＫメッセージを搬送することに用いられず、ＣＳＩ及びＳＲＳを同時に送信する場合に、ＣＳＩのみを送信する。
【００１９】
アドバンスト国際電気通信連合（ＩＴＵ−Ａｄｖａｎｃｅｄ：Ｉｎｔｅｒｎａｔｉｏｎａｌ  Ｔｅｌｅｃｏｍｍｕｎｉｃａｔｉｏｎ  Ｕｎｉｏｎ−Ａｄｖａｎｃｅｄ）の要求を満たすために、ＬＴＥの発展型基準とするロングタームエボリューションアドバンス（ＬＴＥ−Ａ：Ｌｏｎｇ  Ｔｅｒｍ  Ｅｖｏｌｕｔｉｏｎ  Ａｄｖａｎｃｅｄ）システムは、より大きなシステム帯域幅（高くとも１００ＭＨｚに達成可能）をサポートする必要があり、ＬＴＥの従来基準との下位互換性も必要とする。
【００２０】
従来のＬＴＥシステムに基づいて、ＬＴＥシステムの帯域幅を組み合わせることによって、より大きな帯域幅を取得することができ、このような技術をキャリアアグリゲーション（ＣＡ：Ｃａｒｒｉｅｒ  Ａｇｇｒｅｇａｔｉｏｎ）技術と称する。当該技術は、ＩＭＴ−Ａｄｖａｎｃｅシステムの周波数スペクトル利用率を向上させ、周波数スペクトルリソースの不足を改善し、更に周波数スペクトルリソースの利用を最適化することができる。
【００２１】
ＬＴＥ−Ａにおいてキャリアアグリゲーション技術を利用した場合において、ＵＥにおいて４つのダウンリンクコンポーネントキャリアを構成した時、ＵＥは、当該４つのダウンリンクコンポーネントキャリアのＡＣＫ／ＮＡＣＫをフィードバックする必要がある。
【００２２】
多入力多出力（ＭＩＭＯ：Ｍｕｌｔｉｐｌｅ  Ｉｎｐｕｔ  Ｍｕｌｔｉｐｌｅ  Ｏｕｔｐｕｔ）の場合では、ＵＥが各コードワードのＡＣＫ／ＮＡＣＫをフィードバックする必要があり、ＵＥにおいて４つのダウンリンクコンポーネントキャリアを構成した時、ＵＥは、８つのＡＣＫ／ＮＡＣＫをフィードバックする必要がある。
【００２３】
現在、ＡＣＫ／ＮＡＣＫメッセージフィードバックに関する結論は、下記のようなものである。ＬＴＥ−Ａの端末にとって、多くとも４ビットのＡＣＫ／ＮＡＣＫメッセージのフィードバックをサポートする場合、チャネル選択多重方法を利用する。４ビットを超えるＡＣＫ／ＮＡＣＫメッセージのフィードバックをサポートする場合、離散フーリエ変換拡散直交周波数分割多重（ＤＦＴ−ｓ−ＯＦＤＭ）構造による方法を利用する。もちろん、他のアップリンク制御シグナルを、ＤＦＴ−ｓ−ＯＦＤＭ構造によって送信してもよい。
【００２４】
しかしながら、従来のＬＴＥ−Ａシステムにおいて、アップリンク制御シグナルをＤＦＴ−ｓ−ＯＦＤＭ構造によって送信するための具体的な方法、及び当該構造におけるアップリンク基準信号の位置と個数を提供していない。
【発明の概要】
【発明が解決しようとする課題】
【００２５】
これに鑑みて、本発明の主な目的は、アップリンク制御シグナル送信、アップリンク送信装置及びアップリンク制御シグナル送信時のアップリンク復調基準信号搬送装置を提供し、これによって、アップリンク制御シグナルをＤＦＴ−ｓ−ＯＦＤＭ構造によって送信する問題を効果的に解決することにある。
【課題を解決するための手段】
【００２６】
上記目的を達成するために、本発明の技術案は、下記のように実現される。
【００２７】
アップリンク制御シグナル送信方法は、
アップリンク制御シグナルに対して、チャネルコーディング、スクランブリング、変調、時間領域拡散及びプリコーディング変換をそれぞれ行い、又はチャネルコーディング、スクランブリング、変調、プリコーディング変換及び時間領域拡散をそれぞれ行い、前記アップリンク制御シグナルを、前記アップリング制御シグナルの搬送に利用される直交波周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルへマッピングし、前記ＯＦＤＭシンボルに保持された前記アップリング制御シグナルを送信する。
【００２８】
好ましくは、前記アップリンク制御シグナルに対してチャネルコーディングを行う際、
前記アップリンク制御シグナルのビット数が１１ビットより大きい場合に、拘束長が７、コードレートが１／３のテイルバイティング畳み込み符号方式を用いて、コーディングを行い、１１ビット以下の場合に、線形ブロック符号方式を用いて、コーディングを行う。
【００２９】
ここで、コーディング後の長さは、１つのサブフレームにおける２つのタイムスロットにおいて同じ情報が搬送されかに関連する。具体的には、１つのサブフレームにおける２つのタイムスロットにおいて、同じ情報が搬送される場合に、前記アップリンク制御シグナルのコーディング後の長さは１２×Ｑｍである。異なる情報が搬送される場合に、前記アップリンク制御シグナルのコーディング後の長さは２４×Ｑｍである。ここで、Ｑｍは、対応する変調次数である。
【００３０】
好ましくは、前記アップリンク制御シグナルに対してスクランブリングを行う際、
スクランブリングコードシーケンスをコーディング後の前記アップリンク制御シグナルシーケンスに加え、モジュロ２演算を行ってスクランブルされたシーケンスを取得し、ここで、前記スクランブリングコードシーケンスは、擬似ランダムシーケンスである。
【００３１】
好ましくは、前記アップリンク制御シグナルに対して変調を行う際、
ＱＰＳＫ変調方式を利用して、スクランブルされた前記アップリンク制御シグナルに対して変調を行う。
【００３２】
好ましくは、前記アップリンク制御シグナルに対して時間領域拡張を行う際、
直交シーケンスを利用して、処理された前記アップリンク制御シグナルシーケンスをアップリンク制御シグナルを搬送するＯＦＤＭシンボルに拡張し、前記直交シーケンスは、離散フーリエ変換（ＤＦＴ：Ｄｉｓｃｒｅｔｅ  Ｆｏｕｒｉｅｒ  Ｔｒａｎｓｆｏｒｍ）シーケンス、Ｗａｌｓｈシーケンス、定振幅ゼロ自己相関（ＣＡＺＡＣ：Ｃｏｎｓｔ  Ａｍｐｌｉｔｕｄｅ  Ｚｅｒｏ  Ａｕｔｏ  Ｃｏｒｅｌａｔｉｏｎ）シーケンス及びこれらの拡張シーケンスのいずれかであり、前記直交シーケンスの長さは、１つのタイムスロットにおいて、アップリンク制御シグナルを搬送するＯＦＤＭシンボルの数である。
【００３３】
好ましくは、前記アップリンク制御シグナルに対してプリコーディング変換を行う際、
アップリンク制御シグナルを搬送するＯＦＤＭシンボルにおけるアップリンク制御シグナルシーケンスにおいて、ＤＦＴ演算を行う。
【００３４】
好ましくは、前記アップリンク制御シグナルを搬送するＯＦＤＭシンボルは、１つのサブフレームにおいて、アップリンク基準信号によって占有されるＯＦＤＭシンボルを除くＯＦＤＭシンボルである。
【００３５】
好ましくは、
前記アップリンク制御シグナル及びＳＲＳが１つのサブフレームにより搬送される場合に、サブフレームの２番目のタイムスロットの最後のＯＦＤＭシンボルにおいて、アップリンク制御シグナルとアップリンク復調基準信号のいずれも搬送されない。
【００３６】
好ましくは、前記アップリンク制御シグナルは、アップリンクフィードバックされたＡＣＫ／ＮＡＣＫ情報又はチャネル状態情報（ＣＳＩ：Ｃｈａｎｎｅｌ  Ｓｔａｔｅ  Ｉｎｆｏｒｍａｔｉｏｎ）である。
【００３７】
アップリンク制御シグナルを送信する時の復調基準信号搬送方法は、
復調基準信号を、各タイムスロットのｋ個のＯＦＤＭシンボルにより搬送する。
【００３８】
好ましくは、前記方法は、
ノーマル巡回プレフィックスのサブフレームにおいて、ｋ＝２又はｋ＝３であり、
拡張巡回プレフィックスのサブフレームにおいて、ｋ＝２又はｋ＝１である。
【００３９】
好ましくは、復調基準信号を、各タイムスロットのｋ個のＯＦＤＭシンボルにより搬送する際、
ノーマル巡回プレフィックスのサブフレームにおいて、各タイムスロットにおける３つの復調基準信号を、２番目、３番目、６番目のＯＦＤＭシンボルによりそれぞれ搬送し、又は、０番目、３番目、６番目のＯＦＤＭシンボルによりそれぞれ搬送し、又は、１番目、３番目、５番目のＯＦＤＭシンボルにより搬送し、
ノーマル巡回プレフィックスのサブフレームにおいて、各タイムスロットにおける２つの復調基準信号を、０番目、５番目のＯＦＤＭシンボルによりそれぞれ搬送し、又は、０番目、６番目のＯＦＤＭシンボルによりそれぞれ搬送し、又は、１番目、５番目のＯＦＤＭシンボルによりそれぞれ搬送し、又は、２番目、３番目のＯＦＤＭシンボルによりそれぞれ搬送し、又は、２番目、５番目のＯＦＤＭシンボルにより搬送し、
拡張巡回プレフィックスのサブフレームにおいて、各タイムスロットにおける２つの復調基準信号を、０番目、５番目のＯＦＤＭシンボルによりそれぞれ搬送し、又は、０番目、４番目のＯＦＤＭシンボルによりそれぞれ搬送し、又は、２番目、３番目のＯＦＤＭシンボルによりそれぞれ搬送し、又は、１番目、４番目のＯＦＤＭシンボルによりそれぞれ搬送し、又は、２番目、５番目のＯＦＤＭシンボルによりそれぞれ搬送し、
拡張巡回プレフィックスにおいて、各タイムスロットにおける１つの復調基準信号を、２番目のＯＦＤＭシンボルにより搬送し、又は、３番目のＯＦＤＭシンボルに搬送し、
ここで、各タイムスロットにおけるＯＦＤＭシンボルには、０から番号が付られている。
【００４０】
好ましくは、
前記アップリンク復調基準信号によって占有されるＯＦＤＭシンボルの数が２以上である場合に、各ＯＦＤＭシンボルにより搬送される復調基準信号は同じシーケンス、又は時間領域拡張がなされたシーケンスであり、前記シーケンスはコンピュータ生成定振幅ゼロ自己相関（ＣＧ−ＣＡＺＡＣ：Ｃｏｍｐｕｔｅｒ  ｇｅｎｅｒａｔｅｄ−Ｃｏｎｓｔ  Ａｍｐｌｉｔｕｄｅ  Ｚｅｒｏ  Ａｕｔｏ  Ｃｏｒｅｌａｔｉｏｎ）シーケンスである。
【００４１】
応答メッセージのアップリンク送信装置であって、
アップリンク制御シグナルに対して、前処理を行う前処理ユニットと、
前処理されたアップリンク制御シグナルを、アップリンク制御シグナルを搬送するＯＦＤＭシンボルにマッピングマッピングユニットと、
前記アップリンク制御シグナルを送信する送信ユニットとを含む。
【００４２】
好ましくは、前記前処理ユニットは、
前記アップリンク制御シグナルに対して、チャネルコーディングを行うチャネルコーディングサブユニットと、
チャネルコーディングされた前記アップリンク制御シグナルに対して、スクランブリングを行うスクランブリングサブユニットと、
スクランブルされた前記アップリンク制御シグナルに対して変調を行う変調サブユニットと、
変調された前記アップリンク制御シグナルに対して、時間領域拡張を行う時間領域拡散サブユニットと、
時間領域拡張を行った前記アップリンク制御シグナルに対して、プリコーディング変換をプリコーディング変換サブユニットとを含む。
【００４３】
好ましくは、前記プリコーディング変換サブユニットは、変調された前記アップリンク制御シグナルに対してプリコーディング変換を行い、前記時間領域拡散サブユニットは、プリコーディング変換された前記アップリンク制御シグナルに対して時間領域拡張を行う。
【００４４】
好ましくは、前記チャネルコーディングサブユニットは、前記アップリンク制御シグナルのビット数が１１ビットより大きい場合に、拘束長が７、コードレートが１／３のテイルバイティング畳み込み符号方式を用いて、コーディングを行い、１１ビット以下の場合に、線形ブロック符号方式を用いて、コーディングを行う。
【００４５】
ここで、コーディング後の長さは、１つのサブフレームにおける２つのタイムスロットにおいて同じ情報が搬送されるかに関連する。具体的には、１つのサブフレームにおける２つのタイムスロットにおいて、同じ情報が搬送される場合に、前記アップリンク制御シグナルのコーディング後の長さは１２×Ｑｍである。異なる情報が搬される送場合に、前記アップリンク制御シグナルのコーディング後の長さは２４×Ｑｍである。ここで、Ｑｍは対応する変調次数である。
【００４６】
好ましくは、前記スクランブリングサブユニットは、スクランブリングコードシーケンスをコーディング後の前記アップリンク制御シグナルシーケンスに加え、モジュロ２演算を行ってスクランブルされたシーケンスを取得し、ここで、前記スクランブリングコードシーケンスは、擬似ランダムシーケンスである。
【００４７】
好ましくは、前記変調サブユニットは、ＱＰＳＫ変調方式を利用して、スクランブルされた前記アップリンク制御シグナルに対して変調を行う。
【００４８】
好ましくは、前記時間領域拡散サブユニットは、直交シーケンスを利用して、処理された前記アップリンク制御シグナルシーケンスをアップリンク制御シグナルを搬送するＯＦＤＭシンボルに拡張し、前記直交シーケンスは、ＤＦＴシーケンス、Ｗａｌｓｈシーケンス、ＣＡＺＡＣシーケンス、及びこれらの拡張シーケンスのいずれかであり、前記直交シーケンスの長さは、１つのタイムスロットにおいて、アップリンク制御シグナルを搬送するＯＦＤＭシンボルの数である。
【００４９】
好ましくは、前記プリコーディング変換サブユニットは、アップリンク制御シグナルを搬送するＯＦＤＭシンボルにおけるアップリンク制御シグナルシーケンスに対してＤＦＴ演算を行う。
【００５０】
好ましくは、前記アップリンク制御シグナルを搬送するＯＦＤＭシンボルは、１つのサブフレームにおいて、アップリンク基準信号によって占有されるＯＦＤＭシンボルを除くＯＦＤＭシンボルである。
【００５１】
好ましくは、前記マッピングユニットは、前記アップリンク制御シグナル及びＳＲＳを１つのサブフレームにより搬送する場合に、サブフレームの２番目のタイムスロットの最後のＯＦＤＭシンボルにおいて、アップリンク制御シグナルとアップリンク復調基準信号のいずれも搬送しない。
【００５２】
好ましくは、前記アップリンク制御シグナルは、アップリンクフィードバックされたＡＣＫ／ＮＡＣＫ応答情報又はＣＳＩ情報である。
【００５３】
アップリンク制御シグナル送信時の復調基準信号搬送装置は、
アップリンク復調基準信号を、各タイムスロットのｋ個のＯＦＤＭシンボルにより搬送する搬送ユニットを含む。
【００５４】
好ましくは、ノーマル巡回プレフィックスのサブフレームにおいて、ｋ＝２又はｋ＝３であり、
拡張巡回プレフィックスのサブフレームにおいて、ｋ＝２又はｋ＝１であり、
前記搬送ユニットは、
ノーマル巡回プレフィックスのサブフレームにおいて、各タイムスロットにおける３つの復調基準信号を、２番目、３番目、６番目のＯＦＤＭシンボルによりそれぞれ搬送し、又は、０番目、３番目、６番目のＯＦＤＭシンボルによりそれぞれ搬送し、又は、１番目、３番目、５番目のＯＦＤＭシンボルによりそれぞれ搬送し、
ノーマル巡回プレフィックスのサブフレームにおいて、各タイムスロットにおける２つの復調基準信号を、０番目、５番目のＯＦＤＭシンボルによりそれぞれ搬送し、又は、０番目、６番目のＯＦＤＭシンボルによりそれぞれ搬送し、又は、１番目、５番目のＯＦＤＭシンボルによりそれぞれ搬送し、又は、２番目、３番目のＯＦＤＭシンボルによりそれぞれ搬送し、又は、２番目、５番目のＯＦＤＭシンボルによりそれぞれ搬送し、
拡張巡回プレフィックスのサブフレームにおいて、各タイムスロットにおける２つの復調基準信号を、０番目、５番目のＯＦＤＭシンボルによりそれぞれ搬送し、又は、０番目、４番目のＯＦＤＭシンボルによりそれぞれ搬送し、又は、２番目、３番目のＯＦＤＭシンボルによりそれぞれ搬送し、又は、１番目、４番目のＯＦＤＭシンボルによりそれぞれ搬送し、又は、２番目、５番目のＯＦＤＭシンボルによりそれぞれ搬送し、
拡張巡回プレフィックスにおいて、各タイムスロットにおける１つの復調基準信号を、２番目のＯＦＤＭシンボルにより搬送し、又は、３番目のＯＦＤＭシンボルにより搬送する。
ここで、各タイムスロットにおけるＯＦＤＭシンボルには０から番号が付けられている。
【００５５】
好ましくは、前記アップリンク復調基準信号によって占有されるＯＦＤＭシンボルの数が２以上である場合に、各ＯＦＤＭシンボルにより搬送される復調基準信号は同じシーケンス、又は時間領域拡張がなされたシーケンスであり、前記シーケンスは、ＣＧ−ＣＡＺＡＣシーケンスである。
【００５６】
本発明において、送信が必要なアップリンク制御シグナルを、ＤＦＴ−ｓ−ＯＦＤＭ構造によって送信する場合に、本発明において設計されたアップリンク制御シグナル送信方法によって、送信しようとするアップリンク制御情報を、アップリンクサブフレームにおける対応するＯＦＤＭシンボルにより順調に搬送することができる。本発明の技術案によれば、アップリンク制御シグナルをＤＦＴ−ｓ−ＯＦＤＭ構造によって送信するための具体的な方法、及びこの構造におけるアップリンク復調基準信号搬送方法を効果的に解決することができる。
【図面の簡単な説明】
【００５７】
【図１】関連技術によるＬＴＥシステムにおける基本フレーム構成の構造図である。
【図２】本発明のテイルバイティング畳み込み符号方式によるプリコーディング処理の構造図である。
【図３】本発明に係る実施形態１の前処理の模式図である。
【図４】本発明に係る実施形態２の前処理の模式図である。
【図５】本発明に係る実施形態３の前処理の模式図である。
【図６】本発明に係る実施形態４の前処理の模式図である。
【図７】本発明に係る実施形態５の前処理の模式図である。
【図８】本発明に係る実施形態６の前処理の模式図である。
【図９】本発明に係る実施形態７の前処理の模式図である。
【図１０】本発明に係る実施形態８の前処理の模式図である。
【図１１】本発明に係る実施形態９の前処理の模式図である。
【図１２】本発明に係る実施形態１０の前処理の模式図である。
【図１３】本発明に係る実施形態１１の前処理の模式図である。
【図１４】本発明に係る実施形態１２の前処理の模式図である。
【図１５】本発明に係る実施形態１３の前処理の模式図である。
【図１６】本発明に係る実施形態１４の前処理の模式図である。
【図１７】本発明に係る実施形態１５の前処理の模式図である。
【図１８】本発明に係る実施形態１６の前処理の模式図である。
【図１９】本発明に係るアップリンク制御シグナル送信装置の構造図である。
【図２０】本発明に係るアップリンク制御シグナルを送信する時のアップリンク復調基準信号搬送装置の構造図である
【発明を実施するための形態】
【００５８】
ＡＣＫ／ＮＡＣＫ応答情報を例として、本発明に係る実施形態を説明する。１つのサブフレームにおいて、アップリンクフィードバックを行う必要があるＡＣＫ／ＮＡＣＫ応答情報が４ビットを超える場合に、本発明において設計されたＡＣＫ／ＮＡＣＫ応答情報のコーディング方式により、フィードバック待ちのＡＣＫ／ＮＡＣＫ応答情報を、アップリンクサブフレームにおける対応するＯＦＤＭシンボルにより順調に搬送し、アップリンクフィードバックを順調に行うことができる。
【００５９】
本発明の目的、技術案及びメリットを更に分かりやすくするために、以下、実施形態を挙げて、図面を参照し、本発明を更に詳細に説明する。
【００６０】
本発明において、主に、ＡＣＫ／ＮＡＣＫメッセージを、ＤＦＴ−ｓ−ＯＦＤＭ構造によって送信する。具体的には、ＡＣＫ／ＮＡＣＫメッセージを前処理してＮ個のＯＦＤＭシンボル（１つのサブフレームにおけるＡＣＫ／ＮＡＣＫメッセージに占有されるＯＦＤＭシンボルの数）にマッピングして送信する。ここで、Ｎの値は、システムにおいて利用された巡回プレフィックスのタイプ及びアップリンク基準信号に占有されるＯＦＤＭシンボルの数に関係し、マッピングされたＯＦＤＭシンボル位置は、アップリンク基準信号の位置に関係する。
【００６１】
本発明において、ＡＣＫ／ＮＡＣＫメッセージに対する前処理は、下記の２種類の方式のいずれか１つである。
【００６２】
方式１では、チャネルコーディング、スクランブリング、変調、時間領域拡散及びプリコーディング変換を順次に行う。方式２にでは、チャネルコーディング、スクランブリング、変調、プリコーディング変換及び時間領域拡散を順次に行う。
【００６３】
ここで、チャネルコーディングに関するプロセスは、下記のようなものである。フィードバックする必要があるＡＣＫ／ＮＡＣＫメッセージO0,O1…OM-1のビット数Ｍが１１ビットを超える場合には、図２に示した拘束長が７、コードレートが１／３のテイルバイティング畳み込み符号方式を利用して、コーディングを行う。
【００６４】
図２において、ｃｋは、コーディング待ちの信号を表し、Ｄは、変調器を表し、ｄｋは、コーディング後の信号を表し、○で囲まれたＸは、インターリーブ処理を表す。同図は単に例示的なチャネルコーディング模式図である。
【００６５】
ビット数Ｍが１１ビット以下である場合に、線形ブロック符号方式を利用してコーディングを行う。線形ブロック符号方式の具体的なコーディング方式は、基本シーケンスの長さによって複数のフィードバック情報に対してコーディングを行うものであり、具体的には、下記［数１］で表される。
【００６６】
【数１】
2013539269.tif 000003
【００６７】
ここで、ｉ＝０、１、２、...、Ｂ−１であり、b0,b1…bB-1は、コーディング後のビットシーケンスを表し、Ｂは、コーディング後の長さを表す。サブフレームにおける２つのタイムスロットにおいて同じ情報が搬送される場合、Ｂ＝１２×Ｑｍであり、２つのタイムスロットが異なる情報が搬送される場合、Ｂ＝２×１２×Ｑｍである。Ｑｍは変調次数を表す。
【００６８】
Ｎは、基本シーケンスの長さを表し、Ｍi,nは、基本シーケンスｎにおいて、番号がｉである数値を表す。O0,O1…OM-1は、フィードバックされたシグナルを表す。基本シーケンスは、[表１]又は[表２]に示される。基本シーケンスは、[表１]又は[表２]における基本シーケンスを変換した後の形式を利用してもよく、もちろん、他の形式の基本シーケンスを利用してもよい。
【００６９】
【表１】
2013539269.tif 000004
【００７０】
【表２】
2013539269.tif 000005
【００７１】
ここで、スクランブリングプロセスは、スクランブリングコードシーケンスc0,c1…cB-1を、コーディング後のシーケンスb0,b1…bB-1に加え、モジュロ２演算を行ってスクランブルされたシーケンスq0,q1…qB-1 を取得することである。即ち、スクランブリングプロセスは、下記［数２］で表され、スクランブリングコードシーケンスは、擬似ランダムシーケンスから構成され、初期値は下記［数３］で表される。
【００７２】
【数２】
2013539269.tif 000006
【００７３】
【数３】
2013539269.tif 000007
【００７４】
ここで、変調方式は、ＱＰＳＫを利用し、変調されたシーケンスは、下記［数４］で表される。
【００７５】
【数４】
2013539269.tif 000008
【００７６】
ここで、時間領域拡散とは、直交シーケンスを利用して、コーディング後のシーケンスを、ＡＣＫ／ＮＡＣＫメッセージのサブフレームにおける占有されるＯＦＤＭシンボルに拡張することである。直交シーケンスは、ＤＦＴシーケンス、Ｗａｌｓｈシーケンス、ＣＡＺＡＣシーケンス、又は前記各シーケンスの拡張シーケンスを利用してもよい。
【００７７】
シーケンスの長さは、１つのタイムスロットにおける、ＡＣＫ／ＮＡＣＫメッセージに占有されるＯＦＤＭシンボルの数に等しく、シーケンスの長さがＡＣＫ／ＮＡＣＫメッセージに占有されるＯＦＤＭシンボルの数より小さい場合、シーケンスにおける任意の１つ以上のシーケンスとオリジナルシーケンスとを組み合わせてよく、組み合わせられたシーケンスの長さがＡＣＫ／ＮＡＣＫメッセージに占有されるＯＦＤＭシンボルの数と同じであることを満足する。
【００７８】
ここで、プリコーディング変換とは、ＯＦＤＭシンボルにおける変調シーケンスに対してＤＦＴ演算を行うことである。
【００７９】
Ｎの値が、システムにおいて利用される巡回プレフィックスのタイプ及びアップリンク基準信号（復調基準信号（ＤＭ  ＲＳ）及びサウンディング基準信号（ＳＲＳ））に占有されるＯＦＤＭシンボルの数に関係することは、以下のことを意味する。
【００８０】
すなわち、システムにおいて利用される巡回プレフィックスのタイプに応じて、現在のタイムスロットのＯＦＤＭシンボルの数を取得することができ、それからタイムスロットにおけるアップリンク基準信号に占有されるＯＦＤＭシンボルの数を引くことによって、１つのタイムスロットにおけるＡＣＫ／ＮＡＣＫメッセージに占有されるＯＦＤＭシンボルの数を取得することができ、これによって、１つのサブフレームにおけるＡＣＫ／ＮＡＣＫメッセージに占有されるＯＦＤＭシンボルの数Ｎを取得することができることを示す。
【００８１】
ここで、１つのタイムスロットにおけるアップリンク復調基準信号に占有されるＯＦＤＭシンボルの数は３、２、又は１であり、アップリンクサウンディング基準信号に占有されるＯＦＤＭシンボルの数は１である。
【００８２】
マッピングされたＯＦＤＭシンボル位置がアップリンク基準信号の位置に関係することは、前処理されたＡＣＫ／ＮＡＣＫメッセージを、アップリンク基準信号の位置を除く他のＯＦＤＭシンボルにマッピングすることを示す。
【００８３】
ノーマル巡回プレフィックスに対して、各タイムスロットにおけるアップリンク復調基準信号に占有されるＯＦＤＭシンボルの数は３又は２である。ここで、アップリンク復調基準信号に占有されるＯＦＤＭシンボルの数が３である場合、当該３つの復調基準信号を、各タイムスロットの２番目、３番目、６番目のＯＦＤＭシンボルによりそれぞれ搬送し、又は、０番目、３番目、６番目のＯＦＤＭシンボルによりそれぞれ搬送し、又は、１番目、３番目、５番目のＯＦＤＭシンボルによりそれぞれ搬送する。当該３つのＯＦＤＭシンボルにおける復調基準信号は、同じシーケンスであってよいし、時間領域拡張を行ったシーケンスであってもよい。
【００８４】
ここで、アップリンク復調基準信号に占有されるＯＦＤＭシンボルの数が２である場合、当該２つの復調基準信号を、各タイムスロットの０番目、５番目のＯＦＤＭシンボルによりそれぞれ搬送し、又は、０番目、６番目のＯＦＤＭシンボルにより搬送、又は、１番目、５番目のＯＦＤＭシンボルによりそれぞれ搬送し、又は、２番目、３番目のＯＦＤＭシンボルによりそれぞれ搬送し、又は、２番目、５番目のＯＦＤＭシンボルによりそれぞれ搬送する。当該２つのＯＦＤＭシンボルにおける復調基準信号は、同じシーケンスであってよいし、時間領域拡張を行ったシーケンスであってもよい。
【００８５】
拡張巡回プレフィックスに対して、各タイムスロットにおけるアップリンク復調基準信号に占有されるＯＦＤＭシンボルの数は、２又は１である。ここで、アップリンク復調基準信号に占有されるＯＦＤＭシンボルの数が２である場合、当該２つ復調基準信号を、各タイムスロットの０番目、５番目のＯＦＤＭシンボルによりそれぞれ搬送し、又は、０番目、４番目のＯＦＤＭシンボルによりそれぞれ搬送し、又は、２番目、３番目のＯＦＤＭシンボルにより搬送し、又は、１番目、４番目のＯＦＤＭシンボルによりそれぞれ搬送し、又は、２番目、５番目のＯＦＤＭシンボルによりそれぞれ搬送する。当該２つのＯＦＤＭシンボルにおける復調基準信号は、同じシーケンスであってよいし、時間領域拡張を行ったシーケンスであってもよい。
【００８６】
ここで、アップリンク復調基準信号に占有されるＯＦＤＭシンボルの数が１である場合、当該１つの復調基準信号を、各タイムスロットの２番目のＯＦＤＭシンボルにより搬送し、又は、３番目のＯＦＤＭシンボルにより搬送する。ここで、各タイムスロットにおけるＯＦＤＭシンボルに対しては、０から番号が付けられる。前記復調基準信号に利用されるシーケンスは、ＣＧ−ＣＡＺＡＣシーケンスである。
【００８７】
サウンディング基準信号が同時に送信される必要がある場合、ＡＣＫ／ＮＡＣＫメッセージと復調基準信号のいずれも、各サブフレームの２番目のタイムスロットの最後のＯＦＤＭシンボルによって搬送されない。
【００８８】
以下、実施形態を参照して本発明の技術案の本質を更に説明する。ここで、実施形態１〜実施形態１２において、実施形態２では各ｓｌｏｔが１つのアップリンク復調基準信号を有し、他の実施形態では、各タイムスロット（ｓｌｏｔ）が２つのアップリンク復調基準信号を有する。
【００８９】
実施形態１３〜実施形態１６においては、各ｓｌｏｔは、３つの復調基準信号を有する。図３〜図１８は、ＡＣＫ／ＮＡＣＫ応答情報に対する前処理の例示的な説明である。各実施形態において、ＯＦＤＭシンボルには、０から番号が付けられる。
【００９０】
（実施形態１）
送信する必要があるＡＣＫ／ＮＡＣＫメッセージはO0,O1…O7であり、システムにおいてノーマル巡回プレフィックスを利用し、ＳＲＳを送信する必要がない。図３に示すように、ＤＭ  ＲＳに占有されるＯＦＤＭシンボルの数は２であり、ＤＭ  ＲＳは各タイムスロットの１番目及び５番目のＯＦＤＭシンボルに不連続的に分配される。ＤＭ  ＲＳのシーケンスは、下記［数５］で表される。
【００９１】
【数５】
2013539269.tif 000009
【００９２】
各ｓｌｏｔにおいて異なる制御情報が搬送される。線形ブロック符号は、［表１］に示した基本シーケンスを利用する。直交符号は、[表３]に示すように、Ｗａｌｓｈシーケンスを利用する。変調次数Ｑｍ＝２であり、前記方式２における前処理方式を利用する。
【００９３】
【表３】
2013539269.tif 000010
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用してコーディングを行う。コーディング後のシーケンスの長さは４８であり、コーディング後のシーケンスはb0,b1…b47である。スクランブリング・変調を行ったシーケンスはQ0,Q1…Q23である。
【００９４】
各ｓｌｏｔにおけるＯＦＤＭシンボルの数は７であり、ＤＭ  ＲＳに占有されるＯＦＤＭシンボルの数は２である。ＳＲＳを送信する必要がないため、各ｓｌｏｔにおけるＡＣＫ／ＮＡＣＫメッセージに占有されるＯＦＤＭシンボルの数は５である。従って、Ｗａｌｓｈシーケンスを、［表４］に示した直交シーケンスに拡張する。
【００９５】
【表４】
2013539269.tif 000011
【００９６】
Q0,Q1…Q11及びQ12,Q13…Q23のそれぞれに対してプリコーディングを行って、Q'1,Q'2…Q'11及びQ'12,Q'13…Q'23を取得する。[表４]から１つの直交シーケンス[w(0) Λ w(4)] を選択して、Q'1,Q'2…Q'11及びQ'12,Q'13…Q'23 のそれぞれに対して、時間領域拡張を行い、各ｓｌｏｔの０番目、２番目、３番目、４番目、６番目のＯＦＤＭシンボルにマッピングする。パイロットシーケンスを、各ｓｌｏｔの１番目、５番目のＯＦＤＭシンボルにマッピングする。
【００９７】
２つのＯＦＤＭシンボルにおけるパイロットは次の手法によって求められる。即ち各ＯＦＤＭシンボルにおけるパイロットシーケンスは何れも［数５］で表されるシーケンスであってもよく、又は、［表５］（又は［表６］）から１つの直交シーケンス[w(0) w(1)]を選択して、［数５］で表されるシーケンスに対して時間領域拡張が行われたものであってもよい。
【００９８】
【表５】
2013539269.tif 000012
【００９９】
【表６】
2013539269.tif 000013
（実施形態２）
送信する必要があるＡＣＫ／ＮＡＣＫメッセージはO0,O1…O7であり、システムにおいて拡張巡回プレフィックスを利用し、ＳＲＳを送信する必要がない。図４に示すように、ＤＭ  ＲＳに占有されるＯＦＤＭシンボルの数は１であり、ＤＭ  ＲＳは各タイムスロットの２番目のＯＦＤＭシンボルに分配される。各ｓｌｏｔにおいて異なる制御情報が搬送される
【０１００】
線形ブロック符号は、［表１］に示した基本シーケンスを利用し、直交符号は、［表７］に示すように、Ｗａｌｓｈシーケンスを利用する。変調次数Ｑｍ＝２であり、前記方式２における前処理方式を利用する。
【０１０１】
【表７】
2013539269.tif 000014
【０１０２】
送信する必要があるＡＣＫ／ＮＡＣＫメッセージO0,O1…O7 に対して、コーディングを行う。送信する必要があるＡＣＫ／ＮＡＣＫメッセージのビット数は８ビットであり、各ｓｌｏｔにおいて異なる制御情報が搬送されるるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23 である。
【０１０３】
各ｓｌｏｔにおけるＯＦＤＭシンボルの数は６であり、ＤＭ  ＲＳに占有されるＯＦＤＭシンボルの数は１である。ＳＲＳを送信する必要がないため、各ｓｌｏｔにおけるＡＣＫ／ＮＡＣＫメッセージに占有されるＯＦＤＭシンボルの数は５である。Q0,Q1…Q11及びQ12,Q13…Q23 のそれぞれに対して、プリコーディングを行い、Q'1,Q'2…Q'11及びQ'12,Q'13…Q'23 を取得する。
【０１０４】
［表５］から１つの直交シーケンス[w(0) Λ w(4)] を選択して、Q'1,Q'2…Q'11及びQ'12,Q'13…Q'23 のそれぞれに対して、時間領域拡張を行い、各ｓｌｏｔの０番目、１番目、３番目、４番目、５番目のＯＦＤＭシンボルにマッピングする。［数５］で表されるパイロットシーケンスを、各ｓｌｏｔの２番目のＯＦＤＭシンボルにマッピングする。
【０１０５】
（実施形態３）
送信する必要があるＡＣＫ／ＮＡＣＫメッセージはO0,O1…O7 であり、システムにおいてノーマル巡回プレフィックスを利用し、ＳＲＳを送信する必要がある。図５に示すように、ＤＭ  ＲＳに占有されるＯＦＤＭシンボルの数は２であり、ＤＭ  ＲＳは各タイムスロットの１番目及び５番目のＯＦＤＭシンボルに不連続的に分配され、各ｓｌｏｔにおいて異なる制御情報が搬送される。線形ブロック符号は、［表１］に示した基本シーケンスを利用し、直交符号は、［表３］に示すように、Ｗａｌｓｈシーケンスを利用する。変調次数Ｑｍ＝２であり、前記方式２における前処理方式を利用する。
【０１０６】
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用してコーディングを行う。
【０１０７】
コーディング後のシーケンスの長さは４８であり、コーディング後のシーケンスはb0,b1…b47 であり、スクランブリング・変調を行ったシーケンスはQ0,Q1…Q23である。各ｓｌｏｔにおけるＯＦＤＭシンボルの数は７であり、ＤＭ  ＲＳに占有されるＯＦＤＭシンボルの数は２である。ＳＲＳを送信する必要があるため、ｓｌｏｔ０におけるＡＣＫ／ＮＡＣＫメッセージに占有されるＯＦＤＭシンボルの数は５であり、ｓｌｏｔ１におけるＡＣＫ／ＮＡＣＫメッセージに占有されるＯＦＤＭシンボルの数は４である。従って、Ｗａｌｓｈシーケンスを５回繰り返す。直交シーケンスは、［表４］に示される。
【０１０８】
Q0,Q1…Q11及びQ12,Q13…Q23のそれぞれに対して、プリコーディングを行い、Q'1,Q'2…Q'11 及びQ'12,Q'13…Q'23 を取得する。［表４］から１つの直交シーケンス[w(0) Λ w(4)] を選択して、Q'1,Q'2…Q'11に対して、時間領域拡張を行い、ｓｌｏｔ０の０番目、２番目、３番目、４番目、６番目のＯＦＤＭシンボルにマッピングする。
【０１０９】
［表３］から１つの直交シーケンス[w(0) Λ w(3)] を選択し、Q'12,Q'13…Q'23に対して時間領域拡張を行い、ｓｌｏｔ１の０番目、２番目、３番目、４番目のＯＦＤＭシンボルにマッピングする。パイロットシーケンスを各ｓｌｏｔの１番目、５番目のＯＦＤＭシンボルにマッピングする。
【０１１０】
２つのＯＦＤＭシンボルにおけるパイロットは次の手法によって求められる。即ち、各ＯＦＤＭシンボルにおけるパイロットシーケンスは何れも［数５］で表されるシーケンスであってもよく、又は、［表７］から１つの直交シーケンス[w(0) w(1)]を選択して、［数５］で表されるシーケンスに対して時間領域拡張が行われたものであってもよい。
【０１１１】
（実施形態４）
送信する必要があるＡＣＫ／ＮＡＣＫメッセージがO0,O1…O7であり、システムにおいて拡張巡回プレフィックスを利用し、ＳＲＳを送信する必要がある。図６に示すように、ＤＭ  ＲＳに占有されるＯＦＤＭシンボルの数は１であり、ＤＭ  ＲＳは各タイムスロットの２番目のＯＦＤＭシンボルに連続的に分配される。各ｓｌｏｔにおいて異なる制御情報が搬送される。線形ブロック符号は、[表１]に示した基本シーケンスを利用し、直交符号は、［表３］に示すように、Ｗａｌｓｈシーケンスを利用する。変調次数Ｑｍ＝２であり、前記方式２における前処理方式を利用する。
【０１１２】
送信する必要があるＡＣＫ／ＮＡＣＫメッセージO0,O1…O7に対して、コーディングを行う。送信する必要があるＡＣＫ／ＮＡＣＫメッセージのビット数は８ビットである。各ｓｌｏｔにおいて異なる制御情報が搬送されるため、線形ブロック符号を利用して、コーディングを行う。
【０１１３】
コーディング後のシーケンスの長さは４８であり、コーディング後のシーケンスは、b0,b1…b47であり、スクランブリング・変調を行ったシーケンスは、Q0,Q1…Q23である。各ｓｌｏｔにおけるＯＦＤＭシンボルの数は６であり、ＤＭ  ＲＳに占有されるＯＦＤＭシンボルの数は１である。
【０１１４】
ＳＲＳを送信する必要があるため、ｓｌｏｔ０におけるＡＣＫ／ＮＡＣＫメッセージに占有されるＯＦＤＭシンボルの数は５であり、ｓｌｏｔ１におけるＡＣＫ／ＮＡＣＫメッセージに占有されるＯＦＤＭシンボルの数は４である。従って、Ｗａｌｓｈシーケンスを５回繰り返す。直交シーケンスは、［表４］に示される。
【０１１５】
Q0,Q1…Q11 及びQ12,Q13…Q23のそれぞれに対して、プロコーディングを行って、Q'1,Q'2…Q'11及びQ'12,Q'13…Q'23を取得する。［表４］から１つの直交シーケンス[w(0) Λ w(4)] を選択して、Q'1,Q'2…Q'11に対して時間領域拡張を行い、ｓｌｏｔ０の０番目、１番目、２番目、４番目、５番目のＯＦＤＭシンボルにマッピングする。
【０１１６】
［表３］から１つの直交シーケンス[w(0) Λ w(3)]を選択して、Q'12,Q'13…Q'23に対して時間領域拡張を行う。ｓｌｏｔ１の０番目、１番目、３番目、４番目のＯＦＤＭシンボルにマッピングし、パイロットシーケンスを２番目のＯＦＤＭシンボルにマッピングする。
【０１１７】
（実施形態５）
送信する必要があるＡＣＫ／ＮＡＣＫメッセージはO0,O1…O7 であり、システムにおいてノーマル巡回プレフィックスを利用し、ＳＲＳを送信する必要がない。図７に示すように、ＤＭ  ＲＳに占有されるＯＦＤＭシンボルの数は２であり、ＤＭ  ＲＳは各タイムスロットの０番目及び６番目のＯＦＤＭシンボルに不連続的に分配される。各ｓｌｏｔにおいて異なる制御情報が搬送される。線形ブロック符号は、[表１]に示した基本シーケンスを利用し、直交符号は、［表５］に示すように、ＤＦＴシーケンスを利用する。変調次数Ｑｍ＝２であり、前記方法２における前処理方式を利用する。
【０１１８】
送信する必要があるＡＣＫ／ＮＡＣＫメッセージO0,O1…O7 に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用して、コーディングを行う。
【０１１９】
コーディング後のシーケンスの長さは４８であり、コーディング後のシーケンスは、b0,b1…b47である。スクランブリング・変調を行ったシーケンスは、Q0,Q1…Q23である。各ｓｌｏｔにおけるＯＦＤＭシンボルの数は７であり、ＤＭ  ＲＳに占有されるＯＦＤＭシンボルの数は２である。且つＳＲＳを送信する必要がないため、各ｓｌｏｔにおけるＡＣＫ／ＮＡＣＫメッセージに占有されるＯＦＤＭシンボルの数は５である。Q0,Q1…Q11及びQ12,Q13…Q23のそれぞれに対して、プリコーディングを行って、Q'1,Q'2…Q'11及びQ'12,Q'13…Q'23を取得する。
【０１２０】
［表５］から１つの直交シーケンス[w(0) Λ w(4)]を選択して、Q'1,Q'2…Q'11及びQ'12,Q'13…Q'23のそれぞれに対して、時間領域拡張を行い、各ｓｌｏｔの１番目、２番目、３番目、４番目、５番目のＯＦＤＭシンボルにマッピングする。パイロットシーケンスを、各ｓｌｏｔの０番目、６番目のＯＦＤＭシンボルにマッピングする。
【０１２１】
２つのＯＦＤＭシンボルにおけるパイロットは次の手法によって求められる。即ち、各ＯＦＤＭシンボルにおけるパイロットシーケンスは何れも［数５］で表されるシーケンスであってもよく、又は、［表５］から１つの直交シーケンス[w(0) w(1)]を選択して、［数５］で表されるシーケンスに対して時間領域拡張が行われたものであってもよい。
【０１２２】
（実施形態６）
送信する必要があるＡＣＫ／ＮＡＣＫメッセージがO0,O1…O7であり、システムにおいて拡張巡回プレフィックスを利用し、ＳＲＳを送信する必要がない。図８に示すように、ＤＭ  ＲＳに占有されるＯＦＤＭシンボルの数は２であり、ＤＭ  ＲＳは各タイムスロットの０番目及び５番目のＯＦＤＭシンボルに不連続的に分配される。各ｓｌｏｔにおいて異なる制御情報が搬送される。線形ブロック符号は、［表１］に示した基本シーケンスを利用し、直交符号は、［表３］に示すように、Ｗａｌｓｈシーケンスを利用する。変調次数Ｑｍ＝２であり、前記方式２における前処理方式を利用する。
【０１２３】
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。各ｓｌｏｔにおけるＯＦＤＭシンボルの数は６であり、ＤＭ  ＲＳに占有されるＯＦＤＭシンボルの数は２である。ＳＲＳを送信する必要がないため、各ｓｌｏｔにおけるＡＣＫ／ＮＡＣＫメッセージに占有されるＯＦＤＭシンボルの数は４である。
【０１２４】
Q0,Q1…Q11及びQ12,Q13…Q23のそれぞれに対して、プリコーディングを行って、Q'1,Q'2…Q'11及びQ'12,Q'13…Q'23を取得する。［表３］から１つの直交シーケンス[w(0) Λ w(3)]を選択して、Q'1,Q'2…Q'11及びQ'12,Q'13…Q'23のそれぞれに対して、時間領域拡張を行い、各ｓｌｏｔの１番目、２番目、３番目、４番目のＯＦＤＭシンボルにマッピングする。パイロットシーケンスを、各ｓｌｏｔの０番目、５番目のＯＦＤＭシンボルにマッピングする。
【０１２５】
２つのＯＦＤＭシンボルにおけるパイロットは次の手法によって求められる。即ち各ＯＦＤＭシンボルにおけるパイロットシーケンスは何れも［数５］で表されるシーケンスであってもよく、又は、［表７］から１つの直交シーケンス[w(0) w(1)]を選択して、［数５］で表されるシーケンスに対して時間領域拡張が行われたものであってもよい。
【０１２６】
（実施形態７）
送信する必要があるＡＣＫ／ＮＡＣＫメッセージはO0,O1…O7であり、システムにおいてノーマル巡回プレフィックスを利用し、ＳＲＳを送信する必要がある。図９に示すように、ＤＭ  ＲＳに占有されるＯＦＤＭシンボルの数は２であり、ＤＭ  ＲＳは各タイムスロットの１番目及び７番目のＯＦＤＭシンボルに不連続的に分配される。
【０１２７】
各ｓｌｏｔにおいて異なる制御情報が搬送される。線形ブロック符号は、［表１］に示した基本シーケンスを利用し、直交符号は、［表７］に示すように、ＤＦＴシーケンスを利用する。変調次数Ｑｍ＝２であり、前記方式２における前処理方式を利用する。
【０１２８】
送信する必要があるＡＣＫ／ＮＡＣＫメッセージO0,O1…O7に対して、コーディングを行う。送信する必要があるＡＣＫ／ＮＡＣＫメッセージのビット数は８ビットである。各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。
【０１２９】
各ｓｌｏｔにおけるＯＦＤＭシンボルの数は７であり、ＤＭ  ＲＳに占有されるＯＦＤＭシンボルの数は２である。ＳＲＳを送信する必要があるため、ｓｌｏｔ０におけるＡＣＫ／ＮＡＣＫメッセージに占有されるＯＦＤＭシンボルの数は５であり、ｓｌｏｔ１におけるＡＣＫ／ＮＡＣＫメッセージに占有されるＯＦＤＭシンボルの数は５である。、Q0,Q1…Q11及びQ12,Q13…Q23のそれぞれに対して、プリコーディングを行って、Q'1,Q'2…Q'11及びQ'12,Q'13…Q'23を取得する。
【０１３０】
[表５]から１つの直交シーケンス[w(0) Λ w(4)]を選択して、Q'1,Q'2…Q'11及びQ'12,Q'13…Q'23のそれぞれに対して、時間領域拡張を行い、各ｓｌｏｔの１番目、２番目、３番目、４番目、５番目のＯＦＤＭシンボルにマッピングする。パイロットシーケンスを、各ｓｌｏｔの０番目、６番目のＯＦＤＭシンボルにマッピングする。
【０１３１】
２つのＯＦＤＭシンボルにおけるパイロットは次の手法によって求められる。即ち、各ＯＦＤＭシンボルにおけるパイロットシーケンスが何れも［数５］で表されるシーケンスであってもよく又は、［表５］から１つの直交シーケンス[w(0) w(1)]を選択して、［数５］で表されるシーケンスに対して時間領域拡張が行われたものであってもよい。
【０１３２】
（実施形態８）
送信する必要があるＡＣＫ／ＮＡＣＫメッセージはO0,O1…O7であり、システムにおいて拡張巡回プレフィックスを利用し、ＳＲＳを送信する必要がある。図１０に示すように、ＤＭ  ＲＳに占有されるＯＦＤＭシンボルの数は２であり、ＤＭ  ＲＳは各タイムスロットの０番目及び５番目のＯＦＤＭシンボルに不連続的に分配されている。
【０１３３】
各ｓｌｏｔにおいて異なる制御情報が搬送され、線形ブロック符号は、［表１］に示した基本シーケンスを利用する。直交符号は、［表３］に示すように、Ｗａｌｓｈシーケンスを利用し、変調次数Ｑｍ＝２であり、前記方式２における前処理方式を利用する。
【０１３４】
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47である。スクランブリング・変調を行ったシーケンスはQ0,Q1…Q23である。
【０１３５】
各ｓｌｏｔにおけるＯＦＤＭシンボルの数は６であり、ＤＭ  ＲＳに占有されるＯＦＤＭシンボルの数は２である。ＳＲＳを送信する必要がないため、各ｓｌｏｔにおけるＡＣＫ／ＮＡＣＫメッセージに占有されるＯＦＤＭシンボルの数は４である。Q0,Q1…Q11及びQ12,Q13…Q23のそれぞれに対して、プリコーディングを行い、Q'1,Q'2…Q'11及びQ'12,Q'13…Q'23を取得する。
【０１３６】
［表３］から１つの直交シーケンス[w(0) Λ w(3)]を選択して、Q'1,Q'2…Q'11及びQ'12,Q'13…Q'23のそれぞれに対して、時間領域拡張を行い、各ｓｌｏｔの１番目、２番目、３番目、４番目のＯＦＤＭシンボルにマッピングする。パイロットシーケンスを、各ｓｌｏｔの０番目、５番目のＯＦＤＭシンボルにマッピングする。
【０１３７】
２つのＯＦＤＭシンボルにおけるパイロットは、次の手法によって求められる。即ち、各ＯＦＤＭシンボルにおけるパイロットシーケンスは何れも［数５］で表されるシーケンスであってもよく、又は、［表７］から１つの直交シーケンス[w(0) w(1)]を選択して、［数５］で表されるシーケンスに対して時間領域拡張が行われたものであってもよい。
【０１３８】
（実施形態９）
送信する必要があるＡＣＫ／ＮＡＣＫメッセージはO0,O1…O7であり、システムにおいてノーマル巡回プレフィックスを利用し、ＳＲＳを送信する必要がない。図１１に示すように、ＤＭ  ＲＳに占有されるＯＦＤＭシンボルの数は２であり、ＤＭ  ＲＳは各タイムスロットの２番目及び３番目のＯＦＤＭシンボルに連続的に分配される。各ｓｌｏｔにおいて異なる制御情報が搬送され、線形ブロック符号は、［表１]に示した基本シーケンスを利用する。直交符号は、[表７]に示すように、ＤＦＴシーケンスを利用する。変調次数Ｑｍ＝２であり、前記方式２における前処理方式を利用する。
【０１３９】
送信する必要があるＡＣＫ／ＮＡＣＫメッセージO0,O1…O7に対して、コーディングを行う。送信する必要があるＡＣＫ／ＮＡＣＫメッセージのビット数は８ビットである。各ｓｌｏｔにおいて異なる制御情報が搬送されるため、線形ブロック符号を利用して、コーディングを行う。コーディング後のシーケンスの長さは４８であり、コーディング後のシーケンスはb0,b1,…b47であり、スクランブリング・変調を行ったシーケンスはQ0,Q1…Q23である。各ｓｌｏｔにおけるＯＦＤＭシンボルの数は７であり、ＤＭ  ＲＳに占有されるＯＦＤＭシンボルの数は２である。
【０１４０】
ＳＲＳを送信する必要がないため、各ｓｌｏｔにおけるＡＣＫ／ＮＡＣＫメッセージに占有されるＯＦＤＭシンボルの数は５であり、Q0,Q1…Q11及びQ12,Q13…Q23のそれぞれに対して、プリコーディングを行って、Q'1,Q'2…Q'11及びQ'12,Q'13…Q'23を取得する。
【０１４１】
[表５]から１つの直交シーケンス[w(0) Λ w(4)]を選択して、Q'1,Q'2…Q'11及びQ'12,Q'13…Q'23のそれぞれに対して、時間領域拡張を行い、各ｓｌｏｔの０番目、１番目、４番目、５番目、６番目のＯＦＤＭシンボルにマッピングする。パイロットシーケンスを、各ｓｌｏｔの２番目、３番目のＯＦＤＭシンボルにマッピングする。
【０１４２】
２つのＯＦＤＭシンボルにおけるパイロットは、次の手法によって求められる。即ち、各ＯＦＤＭシンボルにおけるパイロットシーケンスは何れも[数５]で表されるシーケンスであてもよく、又は、[表７]から１つの直交シーケンス[w(0) w(1)]を選択して、[数５]で表されるシーケンスに対して時間領域拡張が行われたものであってもよい。
【０１４３】
（実施形態１０）
送信する必要があるＡＣＫ／ＮＡＣＫメッセージはO0,O1…O7であり、システムにおいて拡張巡回プレフィックスを利用し、ＳＲＳを送信する必要がない。図１２に示すように、ＤＭ  ＲＳに占有されるＯＦＤＭシンボルの数は、２であり、ＤＭ  ＲＳは各タイムスロットの２番目及び３番目のＯＦＤＭシンボルに連続的に分配される。各ｓｌｏｔにおいて異なる制御情報が搬送され、線形ブロック符号は、[表１]に示した基本シーケンスを利用する。直交符号は、[表７]に示すように、Ｗａｌｓｈシーケンスを利用し、変調次数Ｑｍ＝２であり、前記方式２における前処理方式を利用する。
【０１４４】
送信する必要があるＡＣＫ／ＮＡＣＫメッセージO0,O1…O7に対して、コーディングを行う。送信する必要があるＡＣＫ／ＮＡＣＫメッセージのビット数は８ビットである。各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。
【０１４５】
各ｓｌｏｔにおけるＯＦＤＭシンボルの数は６であり、ＤＭ  ＲＳに占有されるＯＦＤＭシンボルの数は２である。ＳＲＳを送信する必要がないため、各ｓｌｏｔにおけるＡＣＫ／ＮＡＣＫメッセージに占有されるＯＦＤＭシンボルの数は４である。Q0,Q1…Q11及びQ12,Q13…Q23のそれぞれに対して、プリコーディングを行って、Q'1,Q'2…Q'11及びQ'12,Q'13…Q'23を取得する。
【０１４６】
[表３]から１つの直交シーケンス[w(0) Λ w(3)]選択して、Q'1,Q'2…Q'11及びQ'12,Q'13…Q'23のそれぞれに対して、時間領域拡張を行い、各ｓｌｏｔの０番目、１番目、４番目、５番目のＯＦＤＭシンボルにマッピングする。パイロットシーケンスを、各ｓｌｏｔの２番目、３番目のＯＦＤＭシンボルにマッピングする。
【０１４７】
２つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表７]から１つの直交シーケンス[w(0) w(1)]を選択して、[数５]で表されるシーケンスに対して時間領域拡張が行われたものであってもよい。
【０１４８】
（実施形態１１）
送信する必要があるＡＣＫ／ＮＡＣＫメッセージはO0,O1…O7であり、システムにおいてノーマル巡回プレフィックスを利用し、ＳＲＳを送信する必要がある。図１３に示すように、ＤＭ  ＲＳに占有されるＯＦＤＭシンボルの数は２であり、ＤＭ  ＲＳは各タイムスロットの２番目、３番目のＯＦＤＭシンボルに連続的に分配される。各ｓｌｏｔにおいて異なる制御情報が搬送される。線形ブロック符号は、[表１]に示した基本シーケンスを利用する。直交符号は、[表７]及び[表３]に示すように、ＤＦＴシーケンス及びＷａｌｓｈシーケンスを利用する。変調次数Ｑｍ＝２であり、前記方式２における前処理方式を利用する。
【０１４９】
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。
【０１５０】
各ｓｌｏｔにおけるＯＦＤＭシンボルの数は７であり、ＤＭ  ＲＳに占有されるＯＦＤＭシンボルの数は２である。ＳＲＳを送信する必要があるため、ｓｌｏｔ０におけるＡＣＫ／ＮＡＣＫメッセージに占有されるＯＦＤＭシンボルの数は５であり、ｓｌｏｔ１におけるＡＣＫ／ＮＡＣＫメッセージに占有されるＯＦＤＭシンボルの数は４である。Q0,Q1…Q11及びQ12,Q13…Q23のそれぞれに対して、プリコーディングを行って、Q'1,Q'2…Q'11及びQ'12,Q'13…Q'23を取得しする。
【０１５１】
[表５]から１つのシーケンス[w(0) Λ w(4)]を選択して、Q'1,Q'2…Q'11に対して時間領域拡張を行い、ｓｌｏｔ０の０番目、１番目、４番目、５番目、６番目のＯＦＤＭシンボルにマッピングする。[表３]から１つの直交シーケンス[w(0) Λ w(3)]を選択して、Q'12,Q'13…Q'23に対して時間領域拡張を行い、ｓｌｏｔ１の０番目、１番目、４番目、５番目のＯＦＤＭシンボルにマッピングする。パイロットシーケンスを、各ｓｌｏｔの２番目、３番目のＯＦＤＭシンボルにマッピングする。
【０１５２】
２つのＯＦＤＭシンボルにおけるパイロットは次の手法によって求められる。即ち、各ＯＦＤＭシンボルにおけるパイロットシーケンスは何れも[数５]で表されるシーケンスであってもよく、又は、[表７]から１つの直交シーケンス[w(0) w(1)]を選択して、[数５]で表されるシーケンスに対して時間領域拡張が行われたものであってもよい。
【０１５３】
（実施形態１２）
送信する必要があるＡＣＫ／ＮＡＣＫメッセージはO0,O1…O7であり、システムにおいて拡張巡回プレフィックスを利用し、ＳＲＳを送信する必要がある。図１４に示すように、ＤＭ  ＲＳに占有されるＯＦＤＭシンボルの数は２であり、ＤＭ  ＲＳは各タイムスロットの２番目及び３番目のＯＦＤＭシンボルに連続的に分配される。
【０１５４】
各ｓｌｏｔにおいて異なる制御情報が搬送される。線形ブロック符号は、[表１]に示した基本シーケンスを利用し、直交符号は、[表７]及び[表８]に示すように、Ｗａｌｓｈシーケンスを利用する。変調次数Ｑｍ＝２であり、前記方式２における前処理方式を利用する。
【０１５５】
【表８】
2013539269.tif 000015
【０１５６】
送信する必要があるＡＣＫ／ＮＡＣＫメッセージO0,O1…O7に対して、コーディングを行う。送信する必要があるＡＣＫ／ＮＡＣＫメッセージのビット数は８ビットである。各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47である。
【０１５７】
スクランブリング・変調を行ったシーケンスはQ0,Q1…Q23である。各ｓｌｏｔにおけるＯＦＤＭシンボルの数は６であり、ＤＭ  ＲＳに占有されるＯＦＤＭシンボルの数は２である。ＳＲＳを送信する必要があるため、ｓｌｏｔ０におけるＡＣＫ／ＮＡＣＫメッセージに占有されるＯＦＤＭシンボルの数は４であり、ｓｌｏｔ１におけるＡＣＫ／ＮＡＣＫメッセージに占有されるＯＦＤＭシンボルの数は４である。
【０１５８】
Q0,Q1…Q11及びQ12,Q13…Q23のそれぞれに対して、プリコーディングを行って、Q'1,Q'2…Q'11及びQ'12,Q'13…Q'23を取得する。[表３]から１つの直交シーケンス[w(0) Λ w(3)]を選択して、Q'1,Q'2…Q'11に対して時間領域拡張を行い、ｓｌｏｔ０における０番目、１番目、４番目、５番目のＯＦＤＭシンボルにマッピングする。
【０１５９】
[表８]から１つの直交シーケンス[w(0) Λ w(2)]を選択して、Q'12,Q'13…Q'23に対して時間領域拡張を行いｓｌｏｔ１における０番目、１番目、４番目のＯＦＤＭシンボルにマッピングし、パイロットシーケンスを、各ｓｌｏｔにおける２番目、３番目のＯＦＤＭシンボルにマッピングする。
【０１６０】
２つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表７]から１つの直交シーケンス[w(0) w(1)]を選択して、[数５]で表されるシーケンスに対して時間領域拡張が行われたものであってもよい。
【０１６１】
（実施形態１３）
送信する必要があるＡＣＫ／ＮＡＣＫメッセージはO0,O1…O7であり、システムにおいてノーマル巡回プレフィックスを利用し、ＳＲＳを送信する必要がない。図１５に示すように、ＤＭ  ＲＳに占有されるＯＦＤＭシンボルの数は３であり、ＤＭ  ＲＳは各タイムスロットの０番目、３番目、６番目のＯＦＤＭシンボルに不連続的に分配される。
【０１６２】
ＤＭ  ＲＳのシーケンスは、[数５]で表され、各ｓｌｏｔにおいて異なる制御情報が搬送される。線形ブロック符号は、[表１]に示した基本シーケンスを利用し、直交符号は、[表３]に示すように、Ｗａｌｓｈシーケンスを利用する。変調次数Ｑｍ＝２であり、前記方式２における前処理方式を利用する。
【０１６３】
送信する必要があるＡＣＫ／ＮＡＣＫメッセージO0,O1…O7に対して、コーディングを行う。送信する必要があるＡＣＫ／ＮＡＣＫメッセージのビット数は８である。各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。
【０１６４】
各ｓｌｏｔにおけるＯＦＤＭシンボルの数は７であり、ＤＭ  ＲＳに占有されるＯＦＤＭシンボルの数は３である。ＳＲＳを送信する必要がないため、各ｓｌｏｔにおけるＡＣＫ／ＮＡＣＫメッセージに占有されるＯＦＤＭシンボルの数は４である。Q0,Q1…Q11及びQ12,Q13…Q23のそれぞれに対して、プリコーディングを行い、Q'1,Q'2…Q'11及びQ'12,Q'13…Q'23を取得する。
【０１６５】
[表３]から１つの直交シーケンス[w(0) Λ w(3)]を選択して、Q'1,Q'2…Q'11及びQ'12,Q'13…Q'23のそれぞれに対して時間領域拡張を行い、各ｓｌｏｔの１番目、２番目、４番目、５番目のＯＦＤＭシンボルにマッピングする。パイロットシーケンスを、各ｓｌｏｔの０番目、３番目、６番目のＯＦＤＭシンボルにマッピングする。
【０１６６】
３つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表６]から１つの直交シーケンス[w(0) … w(2)]を選択して、[数５]で表されるシーケンスに対して時間領域拡張が行われたものであってもよい。
【０１６７】
（実施形態１４）
送信する必要があるＡＣＫ／ＮＡＣＫメッセージはO0,O1…O7であり、システムにおいてノーマル巡回プレフィックスを利用し、ＳＲＳを送信する必要がある。図１６に示すように、ＤＭ  ＲＳに占有されるＯＦＤＭシンボルの数は３であり、ＤＭ  ＲＳは各タイムスロットの０番目、３番目、６番目のＯＦＤＭシンボルに不連続的に分配される。各ｓｌｏｔにおいて異なる制御情報が搬送され、線形ブロック符号は、[表１]に示した基本シーケンスを利用する。直交符号は、[表３]に示すように、Ｗａｌｓｈシーケンスを利用する。変調次数Ｑｍ＝２であり、前記方式２における前処理方式を利用する。
【０１６８】
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。
【０１６９】
各ｓｌｏｔにおけるＯＦＤＭシンボルの数は７であり、ＤＭ  ＲＳに占有されるＯＦＤＭシンボルの数は３である。ＳＲＳを送信する必要があるため、ｓｌｏｔ０におけるＡＣＫ／ＮＡＣＫメッセージに占有されるＯＦＤＭシンボルの数は４であり、ｓｌｏｔ１におけるＡＣＫ／ＮＡＣＫメッセージに占有されるＦＤＭシンボルの数は４である。Q0,Q1…Q11及びQ12,Q13…Q23のそれぞれに対して、プリコーディングを行って、Q'1,Q'2…Q'11及びQ'12,Q'13…Q'23取得する。
【０１７０】
[表３]から１つの直交シーケンス[w(0) Λ w(3)]を選択して、Q'1,Q'2…Q'11に対して時間領域拡張を行いｓｌｏｔ０の１番目、２番目、４番目、５番目のＯＦＤＭシンボルにマッピングする。[表３]から１つの直交シーケンス[w(0) Λ w(3)]を選択して、Q'12,Q'13…Q'23に対して時間領域拡張を行い、ｓｌｏｔ１の１番目、２番目、４番目、５番目のＯＦＤＭシンボルにマッピングする。
【０１７１】
パイロットシーケンスを、ｓｌｏｔ０の０番目、３番目、６番目のＯＦＤＭシンボル、ｓｌｏｔ１の０番目目、３番目のＯＦＤＭシンボルにマッピングする。ｓｌｏｔ０の３つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表６]から１つの直交シーケンス[w(0) … w(2)]を選択して、[数５]で表されるシーケンスに対して時間領域拡張が行われたものであってもよい。
【０１７２】
ｓｌｏｔ１の２つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表７]から１つの直交シーケンス[w(0) w(1)]を選択して、［数５］で表されるシーケンスに対して時間領域拡張が行われたものであってもよい。
【０１７３】
（実施形態１５）
送信する必要があるＡＣＫ／ＮＡＣＫメッセージはO0,O1…O7であり、システムにおいて拡張巡回プレフィックスを利用し、ＳＲＳを送信する必要がない。図１７に示すように、ＤＭ  ＲＳに占有されるＯＦＤＭシンボルの数は３であり、ＤＭ  ＲＳは一部が各タイムスロットの２番目、３番目、６番目のＯＦＤＭシンボルに連続的に分配される。各ｓｌｏｔにおいて異なる制御情報が搬送され、線形ブロック符号は、[表１]に示した基本シーケンスを利用する。直交符号は、[表３]に示すように、Ｗａｌｓｈシーケンスを利用する。変調次数Ｑｍ＝２であり、前記方式２における前処理方式を利用する。
【０１７４】
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。
【０１７５】
各ｓｌｏｔにおけるＯＦＤＭシンボルの数は７であり、ＤＭ  ＲＳに占有されるＯＦＤＭシンボルの数は３であり、ＳＲＳを送信する必要があるため、ｓｌｏｔ０におけるＡＣＫ／ＮＡＣＫメッセージに占有されるＯＦＤＭシンボルの数はは４であり、ｓｌｏｔ１におけるＡＣＫ／ＮＡＣＫメッセージに占有されるＯＦＤＭシンボルの数は４である。Q0,Q1…Q11及びQ12,Q13…Q23のそれぞれに対して、プリコーディングを行い、Q'1,Q'2…Q'11及びQ'12,Q'13…Q'23を取得する。
【０１７６】
[表３]から１つの直交シーケンス[w(0) Λ w(3)]を選択して、Q'1,Q'2…Q'11に対して時間領域拡張を行い、ｓｌｏｔ０の０番目、１番目、４番目、５番目のＯＦＤＭシンボルにマッピングする。[表３]から１つの直交シーケンス[w(0) Λ w(3)]を選択して、Q'12,Q'13…Q'23に対して時間領域拡張を行い、ｓｌｏｔ１の０番目、１番目、４番目、５番目のＯＦＤＭシンボルにマッピングする。
【０１７７】
パイロットシーケンスを、ｓｌｏｔ０の２番目、３番目、６番目のＯＦＤＭシンボル、ｓｌｏｔ１の２番目、３番目、６番目のＯＦＤＭシンボルにマッピングする。ｓｌｏｔ０の３つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表６]から１つの直交シーケンス[w(0) … w(2)]を選択して、[数５]で表されるシーケンスに対して時間領域拡張が行われたものであってもよい。
【０１７８】
ｓｌｏｔ１の３つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表６]から１つの直交シーケンス[w(0) … w(2)]を選択して、[数５]で表されるシーケンスに対して時間領域拡張が行われたものであってもよい。
【０１７９】
（実施形態１６）
送信する必要があるＡＣＫ／ＮＡＣＫメッセージはO0,O1…O7であり、システムにおいて拡張巡回プレフィックスを利用し、ＳＲＳを送信する必要がある。図１８に示すように、ＤＭ  ＲＳに占有されるＯＦＤＭシンボルの数は３であり、ＤＭ  ＲＳは一部が各タイムスロットの２番目、３番目、６番目のＯＦＤＭシンボルに連続的に分布される。各ｓｌｏｔにおいて異なる制御情報が搬送される。線形ブロック符号は、[表１]に示した基本シーケンスを利用し、直交符号は、[表３]に示すように、Ｗａｌｓｈシーケンスを利用する。変調次数Ｑｍ＝２であり、前記方式２における前処理方式を利用する。
【０１８０】
送信する必要があるＡＣＫ／ＮＡＣＫメッセージO0,O1…O7に対して、コーディングを行う。送信する必要があるＡＣＫ／ＮＡＣＫメッセージのビット数は８ビットであり、各ｓｌｏｔにおいて異なる制御情報が搬送されるため、線形ブロック符号を利用して、コーディングを行う。コーディング後のシーケンスの長さは４８であり、コーディング後のシーケンスはb0,b1…b47であり、スクランブリング・変調を行ったシーケンスはQ0,Q1…Q23である。
【０１８１】
各ｓｌｏｔにおけるＯＦＤＭシンボルの数は７であり、ＤＭ  ＲＳに占有されるＯＦＤＭシンボルの数は３である。ＳＲＳを送信する必要があるため、ｓｌｏｔ０におけるＡＣＫ／ＮＡＣＫメッセージに占有されるＯＦＤＭシンボルの数は４であり、ｓｌｏｔ１におけるＡＣＫ／ＮＡＣＫメッセージに占有されるＯＦＤＭシンボルの数は４である。Q0,Q1…Q11及びQ12,Q13…Q23のそれぞれに対して、プリコーディングを行って、Q'1,Q'2…Q'11及びQ'12,Q'13…Q'23を取得する。
【０１８２】
[表３]から１つの直交シーケンス[w(0) Λ w(3)]を選択して、Q'1,Q'2…Q'11に対して時間領域拡張を行い、ｓｌｏｔ０の０番目、１番目、４番目、５番目のＯＦＤＭシンボルにマッピングする。[表３]から１つの直交シーケンス[w(0) Λ w(3)]を選択して、Q'12,Q'13…Q'23に対して時間領域拡張を行い、ｓｌｏｔ１の０番目、１番目、４番目、５番目のＯＦＤＭシンボルにマッピングする。
【０１８３】
パイロットシーケンスを、ｓｌｏｔ０の２番目、３番目、６番目のＯＦＤＭシンボル、ｓｌｏｔ１の２番目、３番目のＯＦＤＭシンボルにマッピングする。ｓｌｏｔ０の３つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表６]から１つの直交シーケンス[w(0) … w(2)]を選択して、[数５]で表されシーケンスに対して時間領域拡張が行われたものであってもよい。
【０１８４】
ｓｌｏｔ１の２つのＯＦＤＭシンボルにおけるパイロットは、次の手法によって求められる。即ち、各ＯＦＤＭシンボルにおけるパイロットシーケンスは何れも[数５]で表されるシーケンスであってもよく、又は、[表７]から１つの直交シーケンス[w(0) w(1)]を選択して、[数５]で表されるシーケンスに対して時間領域拡張が行われたものであってもよい。
【０１８５】
本発明の前記各実施形態において、前記方式１における前処理方式を利用しても、前記技術案を実現することができる。実現される詳細は、殆ど同じであるため、詳細な記載はここでは省略する。
【０１８６】
図１９は、本発明に係るアップリンク制御シグナル送信装置の構造図である。図１９に示すように、本発明に係るアップリンク制御シグナル送信装置は、前処理ユニット１９０と、マッピングユニット１９１と、送信ユニット１９２とを含む。
【０１８７】
前処理ユニット１９０は、アップリンクフィードバックされたアップリンク制御シグナルに対して前処理を行い、
マッピングユニット１９１は、前処理されたアップリンク制御シグナルを、アップリンク制御シグナルを搬送するＯＦＤＭシンボルにマッピングし、
送信ユニット１９２は、前記アップリンク制御シグナルを送信する。
【０１８８】
前処理ユニット１９０は、
前記アップリンク制御シグナルに対して、チャネルコーディングを行うチャネルコーディングサブユニットと、
チャネルコーディングされた前記アップリンク制御シグナルに対して、スクランブリングを行うスクランブリングサブユニットと、
スクランブルされた前記アップリンク制御シグナルに対して、変調を行う変調サブユニットと、
変調された前記アップリンク制御シグナルに対して、時間領域拡張を行う時間領域拡散サブユニットと、
時間領域拡張を行った前記アップリンク制御シグナルに対して、プリコーディング変換を行うプリコーディング変換サブユニットとを含む。
【０１８９】
好ましくは、前記プリコーディング変換サブユニットは、変調された前記アップリンク制御シグナルに対して、プリコーディング変換を行い、前記時間領域拡散サブユニットは、プリコーディング変換された前記アップリンク制御シグナルに対して、時間領域拡張を行う。
【０１９０】
前記チャネルコーディングサブユニットは、前記アップリンク制御シグナルのビット数が１１ビットより大きい場合に、拘束長が７、コードレートが１／３のテイルバイティング畳み込み符号方式を用いて、コーディングを行い、１１ビット以下の場合に、線形ブロック符号方式を利用して、コーディングを行う。
【０１９１】
ここで、コーディング後の長さは、１つのサブフレームにおける２つのタイムスロットにおいて同じ情報を搬送するかに関連し、具体的には、１つのサブフレームにおける２つのタイムスロットにおいて同じ情報を搬送する場合に、前記アップリンク制御シグナルのコーディング後の長さは１２×Ｑｍであり、異なる情報を搬送する場合に、前記アップリンク制御シグナルのコーディング後の長さは２４×Ｑｍである。Ｑｍは対応する変調次数である。
【０１９２】
前記スクランブリングサブユニットは、スクランブリングコードシーケンスをコーディング後の前記アップリンク制御シグナルシーケンスに加え、モジュロ２演算を行ってスクランブルされたシーケンスを取得する。ここで、前記スクランブリングコードシーケンスは、擬似ランダムシーケンスから構成される。
【０１９３】
前記変調サブユニットは、ＱＰＳＫ変調方式を利用して、スクランブルされた前記アップリンク制御シグナルに対して変調を行う。
【０１９４】
前記時間領域拡散サブユニットは、直交シーケンスを利用して、処理された前記アップリンク制御シグナルシーケンスをアップリンク制御シグナルを搬送するＯＦＤＭシンボルに拡張する。前記直交シーケンスは、ＤＦＴシーケンス、Ｗａｌｓｈシーケンス、ＣＡＺＡＣシーケンス及びこれらのの拡張シーケンスのいずれかである。前記直交シーケンスの長さは、１つのタイムスロットにおいて、アップリンク制御シグナルを搬送するＯＦＤＭシンボルの数である。
【０１９５】
前記プリコーディング変換サブユニットは、アップリンク制御シグナルを搬送するＯＦＤＭシンボルにおけるアップリンク制御シグナルシーケンスに対して、ＤＦＴ演算を行う。
【０１９６】
前記アップリンク制御シグナルを搬送するＯＦＤＭシンボルは、１つのサブフレームにおいて、アップリンク基準信号によって占有されるＯＦＤＭシンボルを除くＯＦＤＭシンボルである。
【０１９７】
前記マッピングユニット１９１は、前記アップリンク制御シグナル及びＳＲＳを１つのサブフレームにより搬送する場合に、サブフレームの２番目のタイムスロットの最後のＯＦＤＭシンボルにおいて、アップリンク制御シグナルとアップリンク復調基準信号のいずれも搬送しない。ここで、アップリンク制御シグナルは、ＡＣＫ／ＮＡＣＫ応答情報又はチャネル状態情報ＣＳＩである。
【０１９８】
図２０は、本発明に係るアップリンク制御シグナル送信時のアップリンク復調基準信号搬送装置の構造図である。図２０に示すように、本発明に係るアップリンク制御シグナル送信時のアップリンク復調基準信号搬送装置は、アップリンク復調基準信号を、各タイムスロットのｋ個のＯＦＤＭシンボルにより搬送する搬送ユニット２００を含む。
【０１９９】
ここで、ノーマル巡回プレフィックスのサブフレームにおいて、ｋ＝２又はｋ＝３であり、拡張巡回プレフィックスのサブフレームにおいて、ｋ＝２又はｋ＝１である。
【０２００】
搬送ユニット２００は、ノーマル巡回プレフィックスのサブフレームにおいて、各タイムスロットにおける３つの復調基準信号を、２番目、３番目、６番目のＯＦＤＭシンボルによりそれぞれ搬送し、又は、０番目、３番目、６番目のＯＦＤＭシンボルによりそれぞれ搬送し、又は、１番目、３番目、５番目のＯＦＤＭシンボルによりそれぞれ搬送する。
【０２０１】
また、搬送ユニット２００は、ノーマル巡回プレフィックスのサブフレームにおいて、各タイムスロットにおける２つの復調基準信号を、０番目、５番目のＯＦＤＭシンボルによりそれぞれ搬送し、又は、０番目、６番目のＯＦＤＭシンボルによりそれぞれ搬送し、又は、１番目、５番目のＯＦＤＭシンボルによりそれぞれ搬送し、又は、２番目、３番目のＯＦＤＭシンボルによりそれぞれ搬送する。
【０２０２】
また、搬送ユニット２００は、拡張巡回プレフィックスのサブフレームにおいて、各タイムスロットにおける２つの復調基準信号を、０番目、５番目のＯＦＤＭシンボルによりそれぞれ搬送し、又は、０番目、４番目のＯＦＤＭシンボルによりそれぞれ搬送し、又は、２番目、３番目のＯＦＤＭシンボルによりそれぞれ搬送し、又は、１番目、４番目のＯＦＤＭシンボルによりそれぞれ搬送し、又は、２番目、５番目のＯＦＤＭシンボルによりそれぞれ搬送する。
【０２０３】
また、搬送ユニット２００は、拡張巡回プレフィックスにおいて、各タイムスロットにおける１つの復調基準信号を、２番目のＯＦＤＭシンボルにより搬送し、又は、３番目のＯＦＤＭシンボルにより搬送する。
【０２０４】
ここで、前記アップリンク復調基準信号によって占有されるＯＦＤＭシンボルの数が２以上である場合に、各ＯＦＤＭシンボルにより搬送される復調基準信号は、同じシーケンス、又は時間領域拡張を行ったシーケンスであり、前記シーケンスは、ＣＧ−ＣＡＺＡＣシーケンスである。
【０２０５】
当業者にとっては、本発明の図１９及び図２０に示した装置がそれぞれ前記アップリンク制御シグナル送信方法、及びアップリンク制御シグナル送信時のアップリンク復調基準信号搬送方法を実現するために設計されたものであり、前記各処理ユニットの機能を、前記方法の関連説明を参照することによって理解することが可能であると理解すべきである。図面における各処理ユニットの機能は、プロセッサで動作するプログラムによって実現されてもよく、具体的な論理回路によって実現されてもよい。
【０２０６】
以上は、本発明の最適な実施形態に過ぎず、本発明の保護範囲を制限するものではない。
【図１】
2013539269.tif 000016
【図２】
2013539269.tif 000017
【図１９】
2013539269.tif 000018
【図２０】
2013539269.tif 000019
【図３】
2013539269.tif 000020
【図４】
2013539269.tif 000021
【図５】
2013539269.tif 000022
【図６】
2013539269.tif 000023
【図７】
2013539269.tif 000024
【図８】
2013539269.tif 000025
【図９】
2013539269.tif 000026
【図１０】
2013539269.tif 000027
【図１１】
2013539269.tif 000028
【図１２】
2013539269.tif 000029
【図１３】
2013539269.tif 000030
【図１４】
2013539269.tif 000031
【図１５】
2013539269.tif 000032
【図１６】
2013539269.tif 000033
【図１７】
2013539269.tif 000034
【図１８】
2013539269.tif 000035
【国際調査報告】
2013539269.tif 000036
2013539269.tif 000037
2013539269.tif 000038
2013539269.tif 000039